(57)【特許請求の範囲】
【請求項１】
無線通信システムにおいて送信装置がデータユニットを送信する方法であって、
前記送信装置が、無線ベアラ(ＲＢ)のための設定情報を受信するステップであって、前記ＲＢのためのパケットデータコンバージェンスプロトコル（ＰＤＣＰ）エンティティーは、Ｍ個の無線リンク制御（ＲＬＣ）エンティティーと関連し、Ｍは１より大きい整数であり、前記ＲＢのための前記ＰＤＣＰエンティティーは、パケット複製機能と共に構成され、前記設定情報は、単一のＲＬＣエンティティーに関するパス情報を含む、ステップと、
ｉ）前記パケット複製機能を活性化するための第２階層の活性化命令が受信されないこと、及びｉｉ）前記パス情報に基づいて、前記送信装置が、前記Ｍ個のＲＬＣエンティティーのうち、前記単一のＲＬＣエンティティーを介して、前記ＲＢのための前記ＰＤＣＰエンティティーの第１のＰＤＣＰプロトコルデータユニット(ＰＤＵ)を送信するステップと、
前記送信装置が、前記Ｍ個のＲＬＣエンティティーに対する前記パケット複製機能を活性化するための前記第２階層の活性化命令を受信するステップと、
前記送信装置が、前記第２階層の活性化命令を受信するステップに基づいて、前記Ｍ個のＲＬＣエンティティーの各々を介して第２のＰＤＣＰ ＰＤＵを送信するステップと、
を含む、データユニット送信方法。
【請求項２】
前記ＲＢのための前記ＰＤＣＰエンティティーは、前記Ｍ個のＲＬＣエンティティーを含むＬ個のＲＬＣエンティティーと関連し、Ｌ＞Ｍである、請求項１に記載のデータユニット送信方法。
【請求項３】
前記第２階層の活性化命令は、前記Ｌ個のＲＬＣエンティティーの中で、前記パケット複製機能が活性化される前記Ｍ個のＲＬＣエンティティーを示す情報を含む、請求項２に記載のデータユニット送信方法。
【請求項４】
前記送信装置が、前記Ｌ個のＲＬＣエンティティーの中のＮ個のＲＬＣエンティティーに対する前記パケット複製機能を活性解除するための第２階層の活性解除命令を受信するステップであって、ＮはＬより少ない正の整数である、ステップと、
前記Ｎ個のＲＬＣエンティティーに対する前記パケット複製機能を活性解除するステップと、
を更に含む、請求項２又は３に記載のデータユニット送信方法。
【請求項５】
前記送信装置が、前記ＲＢのための前記パケット複製機能を活性解除するための第２階層の活性解除命令を受信するステップと、
前記送信装置が、前記第２階層の活性解除命令を受信するステップに基づいて、前記単一のＲＬＣエンティティーを介して、前記ＰＤＣＰエンティティーの第３のＰＤＣＰ ＰＤＵを送信するステップと、
を更に含む、請求項１〜３のいずれか一項に記載のデータユニット送信方法。
【請求項６】
前記第２階層の活性化命令又は前記第２階層の活性解除命令は、受信装置から受信される、請求項４又は５に記載のデータユニット送信方法。
【請求項７】
無線通信システムにおいてデータユニットを送信する送信装置であって、
無線周波数(ＲＦ)送受信器と、
プロセッサと、
メモリと、を含み、
前記メモリは、前記プロセッサに、
無線ベアラ(ＲＢ)のための設定情報を受信し、前記ＲＢのためのパケットデータコンバージェンスプロトコル（ＰＤＣＰ）エンティティーは、Ｍ個の無線リンク制御（ＲＬＣ）エンティティーと関連し、Ｍは１より大きい整数であり、前記ＲＢのための前記ＰＤＣＰエンティティーは、パケット複製機能と共に構成され、前記設定情報は、単一のＲＬＣエンティティーに関するパス情報を含み、
ｉ）前記パケット複製機能を活性化するための第２階層の活性化命令が受信されないこと、及びｉｉ）前記パス情報に基づいて、前記Ｍ個のＲＬＣエンティティーのうち、前記単一のＲＬＣエンティティーを介して、前記ＲＢのための前記ＰＤＣＰエンティティーの第１のＰＤＣＰプロトコルデータユニット(ＰＤＵ)を送信し、
前記ＲＦ送受信器を介して、前記Ｍ個のＲＬＣエンティティーに対する前記パケット複製機能を活性化するための前記第２階層の活性化命令を受信し、
前記第２階層の活性化命令を受信することに基づいて、前記Ｍ個のＲＬＣエンティティーの各々を介して第２のＰＤＣＰ ＰＤＵを送信することを含む動作を実行させる少なくとも１つのプログラムを格納する、送信装置。
【請求項８】
前記ＲＢのための前記ＰＤＣＰエンティティーは、前記Ｍ個のＲＬＣエンティティーを含むＬ個のＲＬＣエンティティーと関連し、Ｌ＞Ｍである、請求項７に記載の送信装置。
【請求項９】
前記第２階層の活性化命令は、前記Ｌ個のＲＬＣエンティティーの中で、前記パケット複製機能が活性化される前記Ｍ個のＲＬＣエンティティーを示す情報を含む、請求項８に記載の送信装置。
【請求項１０】
前記動作は、
前記ＲＦ送受信器を介して、前記Ｌ個のＲＬＣエンティティーの中のＮ個のＲＬＣエンティティーに対する前記パケット複製機能を活性解除するための第２階層の活性解除命令を受信し、ＮはＬより少ない正の整数であり、
前記Ｎ個のＲＬＣエンティティーに対する前記パケット複製機能を活性解除することを更に含む、請求項８又は９に記載の送信装置。
【請求項１１】
前記動作は、
前記ＲＦ送受信器を介して、前記ＲＢのための前記パケット複製機能を活性解除するための第２階層の活性解除命令を受信し、
前記第２階層の活性解除命令を受信することに基づいて、前記単一のＲＬＣエンティティーを介して、前記ＰＤＣＰエンティティーの第３のＰＤＣＰ ＰＤＵを送信することを更に含む、請求項７〜９のいずれか一項に記載の送信装置。
【請求項１２】
前記第２階層の活性化命令又は前記第２階層の活性解除命令は、受信装置から受信される、請求項１０又は１１に記載の送信装置。
【発明の詳細な説明】
【技術分野】
【０００１】
本発明は無線通信システムに関し、特に、データユニットを送信する方法及び装置に関する。
【背景技術】
【０００２】
本発明を適用できる無線通信システムの一例として、３ＧＰＰ ＬＴＥ（３ｒｄ Ｇｅｎｅｒａｔｉｏｎ Ｐａｒｔｎｅｒｓｈｉｐ Ｐｒｏｊｅｃｔ Ｌｏｎｇ Ｔｅｒｍ Ｅｖｏｌｕｔｉｏｎ；以下、“ＬＴＥ”という）通信システムについて概略的に説明する。
【０００３】
図１は無線通信システムの一例であって、Ｅ−ＵＭＴＳネットワーク構造を示す概略図である。Ｅ−ＵＭＴＳ（Ｅｖｏｌｖｅｄ Ｕｎｉｖｅｒｓａｌ Ｍｏｂｉｌｅ Ｔｅｌｅｃｏｍｍｕｎｉｃａｔｉｏｎｓ Ｓｙｓｔｅｍ）は、既存のＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ Ｔｅｒｍ Ｅｖｏｌｕｔｉｏｎ）システムと称することもできる。ＵＭＴＳ及びＥ−ＵＭＴＳの技術規格（ｔｅｃｈｎｉｃａｌ ｓｐｅｃｉｆｉｃａｔｉｏｎ）の詳細な内容は、それぞれ「３ｒｄ Ｇｅｎｅｒａｔｉｏｎ Ｐａｒｔｎｅｒｓｈｉｐ Ｐｒｏｊｅｃｔ；Ｔｅｃｈｎｉｃａｌ Ｓｐｅｃｉｆｉｃａｔｉｏｎ Ｇｒｏｕｐ Ｒａｄｉｏ ａｃｃｅｓｓ Ｎｅｔｗｏｒｋ」のＲｅｌｅａｓｅ ７とＲｅｌｅａｓｅ ８を参照することができる。
【０００４】
図１を参照すると、Ｅ−ＵＭＴＳは、端末（Ｕｓｅｒ Ｅｑｕｉｐｍｅｎｔ；ＵＥ）、基地局（ｅＮｏｄｅ Ｂ；ｅＮＢ）、及びネットワーク（Ｅ−ＵＴＲＡＮ）の終端に位置し、外部ネットワークと接続される接続ゲートウェイ（Ａｃｃｅｓｓ Ｇａｔｅｗａｙ；ＡＧ）を含む。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末に下りリンク又は上りリンク送信サービスを提供する。互いに異なるセルは、互いに異なる帯域幅を提供するように設定することができる。基地局は、複数の端末に対するデータ送受信を制御する。下りリンク（Ｄｏｗｎｌｉｎｋ；ＤＬ）データに対して、基地局は、下りリンクスケジューリング情報を送信し、該当の端末にデータが送信される時間／周波数領域、符号化、データサイズ、ＨＡＲＱ（Ｈｙｂｒｉｄ Ａｕｔｏｍａｔｉｃ Ｒｅｐｅａｔ ａｎｄ ｒｅＱｕｅｓｔ）関連情報などを知らせる。また、上りリンク（Ｕｐｌｉｎｋ；ＵＬ）データに対して、基地局は、上りリンクスケジューリング情報を該当の端末に送信し、該当の端末が使用可能な時間／周波数領域、符号化、データサイズ、ＨＡＲＱ関連情報などを知らせる。各基地局間には、ユーザトラフィック又は制御トラフィックの送信のためのインターフェースを使用することができる。核心網（Ｃｏｒｅ Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ Ａｒｅａ）単位で端末の移動性を管理する。
【０００６】
無線通信技術は、ＷＣＤＭＡに基づいてＬＴＥまで開発されてきたが、ユーザと事業者の要求と期待は持続的に増加している。また、他の無線接続技術が継続して開発されているので、今後、競合力を有するためには新たな技術進化が要求され、ビット当たりの費用減少、サービス可用性増大、融通性のある周波数バンドの使用、単純構造と開放型インターフェース、端末の適切なパワー消耗などが要求される。
【０００７】
より多くの通信装置がより大きい通信容量を要求することにより、レガシー無線アクセス技術（ｒａｄｉｏ ａｃｃｅｓｓ ｔｅｃｈｎｏｌｏｇｙ；ＲＡＴ）に比べて向上したモバイル広帯域通信に対する必要性が台頭しつつある。また、複数の装置と客体（ｏｂｊｅｃｔ）とを相互接続していつどこでも様々なサービスを提供するための大規模機械タイプ通信（ｍａｓｓｉｖｅ ｍａｃｈｉｎｅ ｔｙｐｅ ｃｏｍｍｕｎｉｃａｔｉｏｎ；ｍＭＴＣ）は、次世代通信において考慮すべき主要争点の一つである。また、信頼度及び待機時間に敏感なサービス／ＵＥを考慮して設計される通信システムに関する議論が進行中である。次世代（ｎｅｘｔ ｇｅｎｅｒａｔｉｏｎ）無線アクセス技術の導入は、向上したモバイル広帯域通信（ｅＭＢＢ）、ｍＭＴＣ、超高信頼性及び低待機時間通信（ｕｌｔｒａ−ｒｅｌｉａｂｌｅ ａｎｄ ｌｏｗ ｌａｔｅｎｃｙ ｃｏｍｍｕｎｉｃａｔｉｏｎ；ＵＲＬＬＣ）などを考慮して論議されている。
【発明の概要】
【発明が解決しようとする課題】
【０００８】
新しい無線通信技術の導入から、基地局が所定リソース領域でサービスを提供すべきＵＥの個数が増加するだけでなく、上記基地局がサービスを提供するＵＥと送信／受信するデータと制御情報の量も増加している。基地局がＵＥとの通信に利用可能な無線リソースの量は有限のため、基地局が有限の無線リソースを用いて上りリンク／下りリンクデータ及び／又は上りリンク／下りリンク制御情報をＵＥから／に効率的に受信／送信するための新しい方案が要求される。
【０００９】
なお、技術の発達に伴ってディレイ（ｄｅｌａｙ）或いは遅延（ｌａｔｅｎｃｙ）の克服が重要な課題として台頭しつつある。性能がディレイ／遅延によって大きく左右されるアプリケーションが増加していることから、既存システムに比べてディレイ／遅延を減らすための方案が要求されている。
【００１０】
また、スマート機器の発達に伴って、少ない量のデータを効率的に送信／受信或いは低い頻度で発生するデータを効率的に送信／受信するための新しい方案も要求されている。
【００１１】
また、新しい無線接続技術を支援するシステムで効率的に信号を送信／受信する方法が要求される。
【００１２】
本発明が遂げようとする技術的課題は、以上で言及した技術的課題に制限されず、言及していない他の技術的課題は、以下の発明の詳細な説明から本発明が属する技術分野における通常の知識を有する者には明確に理解されるであろう。
【課題を解決するための手段】
【００１３】
本発明の一様相として、無線通信システムにおいて送信装置がデータユニットを送信する方法が提供される。方法は:無線ベアラ(ｒａｄｉｏ ｂｅａｒｅｒ、ＲＢ)のためのＲＢ設定情報を受信することを含む。ＲＢ設定情報はパケットデータコンバージェンスプロトコル(Ｐａｃｋｅｔ ｄａｔａ ｃｏｎｖｅｒｇｅｎｃｅ ｐｒｏｔｏｃｏｌ、ＰＤＣＰ)エンティティー及びＰＤＣＰエンティティーに連関する多数の下位(ｌｏｗｅｒ)階層のエンティティーのための設定情報を含む。送信装置がＲＢのためのＰＤＣＰエンティティーのパケット複製(ｄｕｐｌｉｃａｔｉｏｎ)機能に対する活性化(ａｃｔｉｖａｔｉｏｎ)命令を受信した場合、方法は:ＰＤＣＰエンティティーにおいて多数の下位階層エンティティーの各々にＰＤＣＰプロトコルデータユニット(ｐｒｏｔｏｃｏｌ ｄａｔａ ｕｎｉｔ、ＰＤＵ)を提出；及び多数の下位階層エンティティーの各々によりＰＤＣＰ ＰＤＵを送信することを含む。送信装置がパケット複製機能に対する活性解除(ｄｅａｃｔｉｖａｔｉｏｎ)命令を受信した場合、方法は:ＰＤＣＰエンティティーにおいて多数の下位階層エンティティーのうち、単一の(ｓｉｎｇｌｅ)下位階層エンティティーにＰＤＣＰ ＰＤＵを提出；及び多数の下位階層エンティティーのうち、単一の下位階層エンティティーによりＰＤＣＰ ＰＤＵを送信することを含む。
【００１４】
本発明の他の様相において、無線通信システムにおいて送信装置がデータユニットを送信する方法が提供される。方法は:無線ベアラ(ｒａｄｉｏ ｂｅａｒｅｒ、ＲＢ)のためにＲＢ設定情報を受信、ここで、ＲＢ設定情報はパケットデータコンバージェンスプロトコル(Ｐａｃｋｅｔ ｄａｔａ ｃｏｎｖｅｒｇｅｎｃｅ ｐｒｏｔｏｃｏｌ、ＰＤＣＰ)エンティティー及びＰＤＣＰエンティティーに連関する多数の下位階層エンティティーのための設定情報を含む；ＰＤＣＰプロトコルデータユニット(ｐｒｏｔｏｃｏｌ ｄａｔａ ｕｎｉｔｓ、ＰＤＵｓ)をＰＤＣＰエンティティーがどの下位階層エンティティーに提出するかを示す命令を受信；ＰＤＣＰエンティティーにおいて、命令により指示された各下位階層エンティティーにＰＤＣＰ ＰＤＵを提出；及びＰＤＣＰ ＰＤＵが提出された各下位階層エンティティーによりＰＤＣＰ ＰＤＵを送信することを含む。
【００１５】
本発明のさらに他の様相において、無線通信システムにおいてデータユニットを送信する送信装置が提供される。送信装置は無線周波数(ｒａｄｉｏ ｆｒｅｑｕｅｎｃｙ、ＲＦ)ユニット、及びＲＦユニットを制御するように構成されたプロセッサを含む。プロセッサは:無線ベアラ(ｒａｄｉｏ ｂｅａｒｅｒ、ＲＢ)のためのＲＢ設定情報を受信するようにＲＦユニットを制御するように構成される。ＲＢ設定情報はパケットデータコンバージェンスプロトコル(Ｐａｃｋｅｔ ｄａｔａ ｃｏｎｖｅｒｇｅｎｃｅ ｐｒｏｔｏｃｏｌ、ＰＤＣＰ)エンティティー及びＰＤＣＰエンティティーに連関する多数の下位階層エンティティーのための設定情報を含む。送信装置がＲＢのためのＰＤＣＰエンティティーのパケット複製(ｄｕｐｌｉｃａｔｉｏｎ)機能に対する活性化(ａｃｔｉｖａｔｉｏｎ)命令を受信した場合、プロセッサは:ＰＤＣＰエンティティーにおいて多数の下位階層エンティティーの各々にＰＤＣＰプロトコルデータユニット(ｐｒｏｔｏｃｏｌ ｄａｔａ ｕｎｉｔ、ＰＤＵ)を提出するように構成され；多数の下位階層エンティティーの各々からのＰＤＣＰ ＰＤＵを送信するようにＲＦユニットを制御するように構成される。送信装置がパケット複製機能に対する活性解除(ｄｅａｃｔｉｖａｔｉｏｎ)命令を受信した場合、プロセッサは:ＰＤＣＰエンティティーにおいて多数の下位階層エンティティーのうち、単一の下位階層エンティティーにＰＤＣＰ ＰＤＵを提出するように構成され；多数の下位階層エンティティーのうち、単一の下位階層エンティティーからのＰＤＣＰ ＰＤＵを送信するようにＲＦユニットを制御するように構成される。
【００１６】
本発明のさらに他の様相において、無線通信システムにおいてデータユニットを送信する送信装置が提供される。送信装置は無線周波数(ｒａｄｉｏ ｆｒｅｑｕｅｎｃｙ、ＲＦ)ユニット、及びＲＦユニットを制御するように構成されたプロセッサを含む。プロセッサは:無線ベアラ(ｒａｄｉｏ ｂｅａｒｅｒ、ＲＢ)のためのＲＢ設定情報を受信するようにＲＦユニットを制御、ここで、ＲＢ設定情報はパケットデータコンバージェンスプロトコル(Ｐａｃｋｅｔ ｄａｔａ ｃｏｎｖｅｒｇｅｎｃｅ ｐｒｏｔｏｃｏｌ、ＰＤＣＰ)エンティティー及びＰＤＣＰエンティティーに連関する多数の下位階層エンティティーのための設定情報を含む；ＰＤＣＰプロトコルデータユニット(ｐｒｏｔｏｃｏｌ ｄａｔａ ｕｎｉｔｓ、ＰＤＵｓ)をＰＤＣＰエンティティーがどの下位階層エンティティーに提出するかを示す命令を受信するようにＲＦユニットを制御；ＰＤＣＰエンティティーにおいて、命令により指示された各下位階層エンティティーにＰＤＣＰ ＰＤＵを提出；及びＰＤＣＰ ＰＤＵが提出された各下位階層エンティティーによりＰＤＣＰ ＰＤＵを送信するようにＲＦユニットを制御するように構成される。
【００１７】
本発明の各様相において、送信装置はユーザ機器又は基地局である。
【００１８】
本発明の各様相において、活性化又は活性解除命令は受信装置で受信される。
【００１９】
本発明の各様相において、受信装置は基地局又は他のユーザ機器である。
【００２０】
本発明の各様相において、ＲＢ設定情報はＰＤＣＰエンティティーがどの下位階層エンティティーにＰＤＣＰ ＰＤＵを送信するかを示す情報を含む。ＰＤＣＰエンティティーはこの情報により指示された下位階層エンティティーにのみＰＤＣＰ ＰＤＵを提出する。
【００２１】
本発明の各様相において、活性化命令はＰＤＣＰエンティティーがどの下位階層エンティティーにＰＤＣＰ ＰＤＵを送信するかを示す情報を含む。ＰＤＣＰエンティティーはこの活性化命令により指示された下位階層エンティティーにのみＰＤＣＰ ＰＤＵを提出する。
【００２２】
本発明の各様相において、活性解除命令はＰＤＣＰエンティティーがどの下位階層エンティティーにＰＤＣＰ ＰＤＵを送信するかを示す情報を含む。ＰＤＣＰエンティティーはこの活性解除命令により指示された下位階層エンティティーにのみＰＤＣＰ ＰＤＵを提出する。
【００２３】
本発明の各様相において、多数の下位階層エンティティーは各々無線リンク制御(ｒａｄｉｏ ｌｉｎｋ ｃｏｎｔｒｏｌ、ＲＬＣ)又はＬＴＥ−ＷＬＡＮ集成適応プロトコル(ＬＴＥ−ＷＬＡＮ ａｇｇｒｅｇａｔｅｄ ａｄａｐｔａｔｉｏｎ ｐｒｏｔｏｃｏｌ、ＬＷＡＡＰ)エンティティーである。
【００２４】
本発明の各様相において、活性化又は活性解除命令は媒体接続制御(ｍｅｄｉｕｍ ａｃｃｅｓｓ ｃｏｎｔｒｏｌ、ＭＡＣ)の制御要素(ｃｏｎｔｒｏｌ ｅｌｅｍｅｎｔ、ＣＥ)を使用して受信される。
【００２５】
上記の課題解決方法は、本発明の実施例の一部に過ぎず、当該技術の分野における通常の知識を有する者にとっては、本願発明の技術的特徴が反映された様々な実施例を、以下に説明する本発明の詳細な説明から導出できるということは明らかであろう。
【発明の効果】
【００２６】
本発明によれば、上りリンク／下りリンク信号を効率的に送信／受信することができる。これによって、無線通信システムの全体処理量（ｔｈｒｏｕｇｈｐｕｔ）が向上する。
【００２７】
本発明の一実施例によれば、低価／低複雑度のＵＥがレガシーシステムと互換性を維持しながら低コストで基地局（ｂａｓｅ ｓｔａｔｉｏｎ；ＢＳ）と通信を行うことができる。
【００２８】
本発明の一実施例によれば、低価／低複雑度のＵＥを実現することができる。
【００２９】
本発明の一実施例によれば、ＵＥとＢＳとが低い帯域（ｎａｒｒｏｗｂａｎｄ）で互いに通信を行うことができる。
【００３０】
本発明の一実施例によれば、ＵＥとＢＳとの通信過程において発生するディレイ／遅延を低くできる。
【００３１】
また、スマート機器のための少ない量のデータを効率的に送信／受信或いは低い頻度で発生するデータを効率的に送信／受信することができる。
【００３２】
また、新しい無線接続技術を支援するシステムで信号が効率的に送信／受信されることができる。
【００３３】
本発明の一実施例によれば、少ない量のデータを効率的に送信／受信することができる。
【００３４】
本発明に係る効果は、以上で言及した効果に制限されず、言及していない他の効果は、以下の発明の詳細な説明から、本発明の属する技術の分野における通常の知識を有する者には明確に理解されるであろう。
【図面の簡単な説明】
【００３５】
本発明に関する理解を助けるために詳細な説明の一部として含まれる添付の図面は、本発明に関する実施例を提供し、詳細な説明と共に本発明の技術的思想を説明する。
【００３６】
【図１】無線通信システムの一例であって、Ｅ−ＵＭＴＳネットワーク構造を示す概略図である。
【図２】Ｅ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。
【図３】一般的なＥ−ＵＴＲＡＮ及びＥＰＣの構造を示すブロック図である。
【図４】３ＧＰＰ無線接続ネットワーク規格に基づくユーザ機器(ｕｓｅｒ ｅｑｕｉｐｍｅｎｔ、ＵＥ)とＥ−ＵＴＲＡＮの間の無線インターフェースプロトコル(Ｒａｄｉｏ Ｉｎｔｅｒｆａｃｅ Ｐｒｏｔｏｃｏｌ)の制御平面(Ｃｏｎｔｒｏｌ Ｐｌａｎｅ、ＣＰ)及びユーザ平面(Ｕｓｅｒ Ｐｌａｎｅ、ＵＰ)構造を示す図である。
【図５】Ｅ−ＵＭＴＳシステムにおいて用いる物理チャネル構造の一例を示す図である。
【図６】ＬＴＥ／ＬＴＥ−Ａ(Ｌｏｎｇ Ｔｅｒｍ Ｅｖｏｌｕｔｉｏｎ／Ｌｏｎｇ Ｔｅｒｍ Ｅｖｏｌｕｔｉｏｎ−Ａｄｖａｎｃｅｄ)システムの無線プロトコル構造を示す図である。
【図７】ＬＴＥ ＷＬＡＮ集成(ＬＴＥ ＷＬＡＮ Ａｇｇｒｅｇａｔｉｏｎ、ＬＷＡ)のためのベアラ(ｂｅａｒｅｒ)タイプを示す図である。
【図８】パケットデータコンバージェンスプロトコル(Ｐａｃｋｅｔ Ｄａｔａ Ｃｏｎｖｅｒｇｅｎｃｅ Ｐｒｏｔｏｃｏｌ、ＰＤＣＰ)サブ階層(ｓｕｂｌａｙｅｒ)のために可能性のある一構造の一例を示す図である。
【図９】ＰＤＣＰサブ階層のＰＤＣＰエンティティーの機能図である。
【図１０】既存のＬＴＥ／ＬＴＥ−Ａシステムで使用するＰＤＣＰデータプロトコルデータユニット(ｐｒｏｔｏｃｏｌ ｄａｔａ ｕｎｉｔ、ＰＤＵ)のフォーマットを示す図である。
【図１１】本発明によるパケット送信の他の例を示す図である。
【図１２】本発明によるパケット送信のさらに他の例を示す図である。
【図１３】本発明を実行する送信装置１００及び受信装置２００の構成要素を示すブロック図である。
【発明を実施するための形態】
【００３７】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００３８】
いくつかの場合、本発明の概念が曖昧になることを避けるために、公知の構造及び装置を省略したり、各構造及び装置の核心機能を中心にしたブロック図の形式で示すことができる。また、本明細書全体を通じて同一の構成要素については、同一の図面符号を付して説明する。
【００３９】
以下に説明する技法（ｔｅｃｈｎｉｑｕｅ）及び装置、システムは、様々な無線多元接続システムに適用することができる。多元接続システムの例には、ＣＤＭＡ（ｃｏｄｅ ｄｉｖｉｓｉｏｎ ｍｕｌｔｉｐｌｅ ａｃｃｅｓｓ）システム、ＦＤＭＡ（ｆｒｅｑｕｅｎｃｙ ｄｉｖｉｓｉｏｎ ｍｕｌｔｉｐｌｅ ａｃｃｅｓｓ）システム、ＴＤＭＡ（ｔｉｍｅ ｄｉｖｉｓｉｏｎ ｍｕｌｔｉｐｌｅ ａｃｃｅｓｓ）システム、ＯＦＤＭＡ（ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ）システム、ＳＣ−ＦＤＭＡ（ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ）システム、ＭＣ−ＦＤＭＡ（ｍｕｌｔｉ ｃａｒｒｉｅｒ ｆｒｅｑｕｅｎｃｙ ｄｉｖｉｓｉｏｎ ｍｕｌｔｉｐｌｅ ａｃｃｅｓｓ）システムなどがある。ＣＤＭＡは、ＵＴＲＡ（Ｕｎｉｖｅｒｓａｌ Ｔｅｒｒｅｓｔｒｉａｌ Ｒａｄｉｏ ａｃｃｅｓｓ）又はＣＤＭＡ２０００のような無線技術（ｔｅｃｈｎｏｌｏｇｙ）によって具現することができる。ＴＤＭＡは、ＧＳＭ（Ｇｌｏｂａｌ Ｓｙｓｔｅｍ ｆｏｒ Ｍｏｂｉｌｅ ｃｏｍｍｕｎｉｃａｔｉｏｎ）、ＧＰＲＳ（Ｇｅｎｅｒａｌ Ｐａｃｋｅｔ Ｒａｄｉｏ Ｓｅｒｖｉｃｅ）、ＥＤＧＥ（Ｅｎｈａｎｃｅｄ Ｄａｔａ Ｒａｔｅｓ ｆｏｒ ＧＳＭ Ｅｖｏｌｕｔｉｏｎ）（ｉ．ｅ．，ＧＥＲＡＮ）などのような無線技術によって具現することができる。ＯＦＤＭＡは、ＩＥＥＥ（Ｉｎｓｔｉｔｕｔｅ ｏｆ Ｅｌｅｃｔｒｉｃａｌ ａｎｄ Ｅｌｅｃｔｒｏｎｉｃｓ Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ−ＵＴＲＡ）などのような無線技術によって具現することができる。ＵＴＲＡは、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）の一部であり、３ＧＰＰ（３ｒｄ Ｇｅｎｅｒａｔｉｏｎ Ｐａｒｔｎｅｒｓｈｉｐ Ｐｒｏｊｅｃｔ）ＬＴＥ（Ｌｏｎｇ Ｔｅｒｍ Ｅｖｏｌｕｔｉｏｎ）は、Ｅ−ＵＴＲＡを用いるＥ−ＵＭＴＳの一部である。３ＧＰＰ ＬＴＥは、下りリンク（ｄｏｗｎｌｉｎｋ、ＤＬ）ではＯＦＤＭＡを採択し、上りリンク（ｕｐｌｉｎｋ、ＵＬ）ではＳＣ−ＦＤＭＡを採択している。ＬＴＥ−Ａ（ＬＴＥ−ａｄｖａｎｃｅｄ）は、３ＧＰＰ ＬＴＥの進化した形態である。説明の便宜のために、以下では、本発明が３ＧＰＰ ＬＴＥ／ＬＴＥ−Ａに適用される場合を仮定して説明する。しかし、本発明の技術的特徴がこれに制限されるものではない。例えば、以下の詳細な説明が、移動通信システムが３ＧＰＰ ＬＴＥ／ＬＴＥ−Ａシステムに対応する移動通信システムに基づいて説明されても、３ＧＰＰ ＬＴＥ／ＬＴＥ−Ａ特有の事項以外は、他の任意の移動通信システムにも適用可能である。
【００４０】
例えば、本発明は、３ＧＰＰ ＬＴＥ／ＬＴＥ−Ａシステムのように、ｅＮＢがＵＥに下りリンク／上りリンク時間／周波数リソースを割り当て、ＵＥがｅＮＢの割当てによって下りリンク信号を受信し、上りリンク信号を送信する非−競合ベース（ｎｏｎ−ｃｏｎｔｅｎｔｉｏｎ ｂａｓｅｄ）通信だけでなく、Ｗｉ−Ｆｉのような競合ベース（ｃｏｎｔｅｎｔｉｏｎ ｂａｓｅｄ）通信にも適用することができる。非−競合ベース通信技法は、接続ポイント（ａｃｃｅｓｓ ｐｏｉｎｔ、ＡＰ）或いは上記接続ポイントを制御する制御ノード（ｎｏｄｅ）が、ＵＥと上記ＡＰ間の通信のためのリソースを割り当てるが、競合ベース通信技法は、ＡＰに接続しようとする複数ＵＥ間の競合によって通信リソースが占有される。競合ベース通信技法についして簡略に説明すると、競合ベース通信技法の一種として搬送波感知多元接続（ｃａｒｒｉｅｒ ｓｅｎｓｅ ｍｕｌｔｉｐｌｅ ａｃｃｅｓｓ、ＣＳＭＡ）がある。ＣＳＭＡとは、ノード或いは通信機器が周波数帯域（ｂａｎｄ）のような、共有送信媒体（ｓｈａｒｅｄ ｔｒａｎｓｍｉｓｓｉｏｎ ｍｅｄｉｕｍ）（共有チャネルともいう。）上でトラフィック（ｔｒａｆｆｉｃ）を送信する前に、同一の共有送信媒体上に他のトラフィックがないことを確認する確率的（ｐｒｏｂａｂｉｌｉｓｔｉｃ）媒体接続制御（ｍｅｄｉａ ａｃｃｅｓｓ ｃｏｎｔｒｏｌ、ＭＡＣ）プロトコル（ｐｒｏｔｏｃｏｌ）を指す。ＣＳＭＡにおいて送信装置は受信装置にトラフィックを送ることを試みる前に、他の送信が進行中であるか否か決定する。換言すれば、送信装置は、送信を試みる前に、他の送信装置からの搬送波（ｃａｒｒｉｅｒ）の存在を検出（ｄｅｔｅｃｔ）することを試みる。搬送波が感知されると、送信装置は、自身の送信を開始する前に、進行中の他の送信装置によって送信が完了（ｆｉｎｉｓｈ）することを待つ。結局、ＣＳＭＡは、“ｓｅｎｓｅ ｂｅｆｏｒｅ ｔｒａｎｓｍｉｔ”或いは“ｌｉｓｔｅｎ ｂｅｆｏｒｅ ｔａｌｋ”の原理を基盤にした通信技法といえる。ＣＳＭＡを用いる競合ベース通信システムにおいて送信装置間の衝突を回避するための技法としてＣＳＭＡ／ＣＤ（Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ｄｅｔｅｃｔｉｏｎ）及び／又はＣＳＭＡ／ＣＡ（Ｃａｒｒｉｅｒ Ｓｅｎｓｅ Ｍｕｌｔｉｐｌｅ ａｃｃｅｓｓ ｗｉｔｈ Ｃｏｌｌｉｓｉｏｎ Ａｖｏｉｄａｎｃｅ）が用いられる。ＣＳＭＡ／ＣＤは、有線ＬＡＮ環境での衝突検出技法であり、イーサネット（ｅｔｈｅｒｎｅｔ）環境で通信をしようとするＰＣ（Ｐｅｒｓｏｎａｌ Ｃｏｍｐｕｔｅｒ）やサーバー（ｓｅｒｖｅｒ）がまず、ネットワーク上で通信が行われているか確認した後、他の装置（ｄｅｖｉｃｅ）がデータを上記ネットワーク上で載せて送っていると、待ってからデータを送る。即ち、２人以上のユーザ（例、ＰＣ、ＵＥなど）が同時にデータを乗せて送る場合、上記同時送信間に衝突が発生するが、ＣＳＭＡ／ＣＤは、上記衝突を監視し、柔軟性あるデータ送信がなされるようにする技法である。ＣＳＭＡ／ＣＤを用いる送信装置は、特定規則を用いて他の送信装置によるデータ送信を感知し、自身のデータ送信を調節する。Ｃ��ＭＡ／ＣＡは、ＩＥＥＥ８０２．１１標準に明示されている媒体接近制御プロトコルである。ＩＥＥＥ８０２．１１標準に従うＷＬＡＮシステムは、ＩＥＥＥ８０２．３標準で用いられたＣＳＭＡ／ＣＤを用いず、ＣＡ、即ち、衝突を回避する方式を用いている。送信装置は、常にネットワークの搬送波を感知しているが、ネットワークが空になると、目録に登載された自身の位置によって、定められた時間を待ってからデータを送る。目録内で送信装置間の優先順位を決め、これを再設定（ｒｅｃｏｎｆｉｇｕｒａｔｉｏｎ）するためには様々方法を用いることができる。ＩＥＥＥ８０２．１１標準の一部バージョンに従うシステムでは、衝突が起きることがあり、この場合には衝突感知手順が行われる。ＣＳＭＡ／ＣＡを用いる送信装置は、特定規則を用いて、他の送信装置によるデータ送信と自身のデータ送信間の衝突を回避する。
【００４１】
後述する本発明の実施例において「仮定する」という表現は、チャネルを送信する主体が該当の「仮定」に符合するように上記チャネルを送信することを意味できる。上記チャネルを受信する主体は、上記チャネルが該当の「仮定」に符合するように送信されたという前提下に、該当の「仮定」に符合する形態で上記チャネルを受信或いは復号するものであることを意味できる。
【００４２】
本発明において、ＵＥは、固定していても移動性を有してもよく、基地局（ｂａｓｅ ｓｔａｔｉｏｎ、ＢＳ）と通信してユーザデータ及び／又は各種制御情報を送受信する各種機器がこれに属する。ＵＥは、端末（Ｔｅｒｍｉｎａｌ Ｅｑｕｉｐｍｅｎｔ）、ＭＳ（Ｍｏｂｉｌｅ Ｓｔａｔｉｏｎ）、ＭＴ（Ｍｏｂｉｌｅ Ｔｅｒｍｉｎａｌ）、ＵＴ（Ｕｓｅｒ Ｔｅｒｍｉｎａｌ）、ＳＳ（Ｓｕｂｓｃｒｉｂｅ Ｓｔａｔｉｏｎ）、無線機器（ｗｉｒｅｌｅｓｓ ｄｅｖｉｃｅ）、ＰＤＡ（Ｐｅｒｓｏｎａｌ Ｄｉｇｉｔａｌ Ａｓｓｉｓｔａｎｔ）、無線モデム（ｗｉｒｅｌｅｓｓ ｍｏｄｅｍ）、携帯機器（ｈａｎｄｈｅｌｄ ｄｅｖｉｃｅ）などと呼ぶことができる。また、本発明において、ＢＳは、一般に、ＵＥ及び／又は他のＢＳと通信する固定局（ｆｉｘｅｄ ｓｔａｔｉｏｎ）のことをいい、ＵＥ及び他のＢＳと通信して各種データ及び制御情報を交換する。ＢＳは、ＡＢＳ（Ａｄｖａｎｃｅｄ Ｂａｓｅ Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ Ｔｒａｎｓｃｅｉｖｅｒ Ｓｙｓｔｅｍ）、接続ポイント（Ａｃｃｅｓｓ Ｐｏｉｎｔ）、ＰＳ（Ｐｒｏｃｅｓｓｉｎｇ Ｓｅｒｖｅｒ）等の他の用語と呼ぶこともできる。特に、ＵＴＲＡＮのＢＳはＮｏｄｅ−Ｂと呼ばれ、Ｅ−ＵＴＲＡＮのＢＳはｅＮＢと呼ばれ、次世代(ｎｅｘｔ ｇｅｎｅｒａｔｉｏｎ、ＮｅｘｔＧｅｎ)システムのＢＳはｇＮＢと呼ばれる。
【００４３】
本発明でいうノード（ｎｏｄｅ）とは、ＵＥと通信して無線信号を送信／受信し得る固定した地点（ｐｏｉｎｔ）のことを指す。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ ｒｅｍｏｔｅ ｈｅａｄ、ＲＲＨ）、無線リモートユニット（ｒａｄｉｏ ｒｅｍｏｔｅ ｕｎｉｔ、ＲＲＵ）とすることもできる。ＲＲＨ、ＲＲＵなどは、一般に、ｅＮＢの電力レベル（ｐｏｗｅｒ ｌｅｖｅｌ）よりも低い電力レベルを有する。ＲＲＨ或いはＲＲＵ（以下、ＲＲＨ／ＲＲＵ）は、一般に、光ケーブルなどの専用回線（ｄｅｄｉｃａｔｅｄ ｌｉｎｅ）でｅＮＢに接続されているため、一般に、無線回線で接続されたｅＮＢによる協調通信に比べて、ＲＲＨ／ＲＲＵとｅＮＢによる協調通信を円滑に行うことができる。１つのノードには少なくとも１つのアンテナが設置される。上記アンテナは物理アンテナを意味することもでき、アンテナポート、仮想アンテナ、又はアンテナグループを意味することもできる。ノードは、ポイント（ｐｏｉｎｔ）とも呼ばれる。
【００４４】
本発明でいうセル（ｃｅｌｌ）とは、１つ以上のノードが通信サービスを提供する一定の地理的領域を指す。従って、本発明で特定セルと通信するということは、上記特定セルに通信サービスを提供するｅＮＢ或いはノードと通信するということを意味できる。また、特定セルの下りリンク／上りリンク信号は、上記特定セルに通信サービスを提供するｅＮＢ或いはノードからの／への下りリンク／上りリンク信号を意味する。ＵＥに上りリンク／下りリンク通信サービスを提供するセルを特にサービングセル（ｓｅｒｖｉｎｇ ｃｅｌｌ）という。
【００４５】
一方、３ＧＰＰ ＬＴＥ／ＬＴＥ−Ａシステムは、無線リソースを管理するためにセル（ｃｅｌｌ）の概念を用いているが、無線リソースと関連付く（ｃｅｌｌ）は、地理的領域のセル（ｃｅｌｌ）と区別される。
【００４６】
地理的領域の“セル”は、ノードが搬送波を用いてサービスを提供できるカバレッジ（ｃｏｖｅｒａｇｅ）と理解することができ、無線リソースの“セル”は、上記搬送波によって設定（ｃｏｎｆｉｇｕｒｅ）される周波数範囲である帯域幅（ｂａｎｄｗｉｄｔｈ、ＢＷ）に関連する。ノードが有効な信号を送信できる範囲である下りリンクカバレッジと、ＵＥから有効な信号を受信できる範囲である上りリンクカバレッジは、当該信号を運ぶ搬送波に依存するので、ノードのカバレッジは、上記ノードが用いる無線リソースの“セル”のカバレッジと関連することもある。従って、“セル”という用語は、時にはノードによるサービスのカバレッジを、時には無線リソースを、時には上記無線リソースを用いた信号が有効な強度で到達できる範囲を意味することに用いることができる。 
【００４７】
一方、３ＧＰＰ ＬＴＥ−Ａ標準は無線リソースを管理するためにセル（ｃｅｌｌ）の概念を使用する。無線リソースと関連付く“セル”とは、下りリンクリソース（ＤＬ ｒｅｓｏｕｒｃｅｓ）と上りリンクリソース（ＵＬ ｒｅｓｏｕｒｃｅｓ）との組合せ、即ち、ＤＬ ＣＣとＵＬ ＣＣの組合せと定義される。セルは、ＤＬリソース単独、又はＤＬリソースとＵＬリソースとの組合せで設定する（ｃｏｎｆｉｇｕｒｅ）ことができる。搬送波集約が支援される場合、ＤＬリソース（又は、ＤＬ ＣＣ）の搬送波周波数（ｃａｒｒｉｅｒ ｆｒｅｑｕｅｎｃｙ）とＵＬリソース（又は、ＵＬ ＣＣ）の搬送波周波数（ｃａｒｒｉｅｒ ｆｒｅｑｕｅｎｃｙ）間のリンケージ（ｌｉｎｋａｇｅ）をシステム情報によって示すことができる。例えば、システム情報ブロックタイプ２（Ｓｙｓｔｅｍ Ｉｎｆｏｒｍａｔｉｏｎ Ｂｌｏｃｋ Ｔｙｐｅ ２；ＳＩＢ２）リンケージ（ｌｉｎｋａｇｅ）によってＤＬリソースとＵＬリソースとの組合せを示すことができる。ここで、搬送波周波数とは、各セル或いはＣＣの中心周波数（ｃｅｎｔｅｒ ｆｒｅｑｕｅｎｃｙ）を意味する。以下では、１次周波数（ｐｒｉｍａｒｙ ｆｒｅｑｕｅｎｃｙ）上で動作するセルを１次セル（ｐｒｉｍａｒｙ ｃｅｌｌ；Ｐｃｅｌｌ）或いはＰＣＣと呼び、２次周波数（Ｓｅｃｏｎｄａｒｙ ｆｒｅｑｕｅｎｃｙ）（又は、ＳＣＣ）上で動作するセルを２次セル（ｓｅｃｏｎｄａｒｙ ｃｅｌｌ；Ｓｃｅｌｌ）或いはＳＣＣと呼ぶ。下りリンクにおいてＰｃｅｌｌに対応する搬送波を下りリンク１次ＣＣ（ＤＬ ＰＣＣ）と称し、上りリンクにおいてＰｃｅｌｌに対応する搬送波を上りリンク１次ＣＣ（ＤＬ ＰＣＣ）と称する。Ｓｃｅｌｌとは、ＲＲＣ（Ｒａｄｉｏ Ｒｅｓｏｕｒｃｅ Ｃｏｎｔｒｏｌ）接続樹立（ｃｏｎｎｅｃｔｉｏｎ  ｅｓｔａｂｌｉｓｈｍｅｎｔ）の後に設定可能であり、追加の無線リソースを提供のために利用できるセルを意味する。ＵＥの性能（ｃａｐａｂｉｌｉｔｉｅｓ）によって、ＳｃｅｌｌがＰｃｅｌｌと共に、上記ＵＥのためのサービングセルのセット（ｓｅｔ）を形成することができる。下りリンクにおいてＳｃｅｌｌに対応する搬送波を下りリンク２次ＣＣ（ＤＬ ＳＣＣ）と称し、上りリンクにおいて上記Ｓｃｅｌｌに対応する搬送波を上りリンク２次ＣＣ（ＵＬ ＳＣＣ）と称する。ＲＲＣ＿ＣＯＮＮＥＣＴＥＤ状態にあるが、搬送波集成が設定されていないか或いは搬送波集成を支援しないＵＥの場合、Ｐｃｅｌｌだけで設定されたサービングセルがただ一つ存在する。
【００４８】
本発明において、“物理下りリンク制御チャネル(ｐｈｙｓｉｃａｌ ｄｏｗｎｌｉｎｋ ｃｏｎｔｒｏｌ ｃｈａｎｎｅｌ、ＰＤＣＣＨ)”は、ＰＤＣＣＨ、(設定された場合、サブフレームにおいて)ＥＰＤＣＣＨ(ｅｎｈａｎｃｅｄ ＰＤＣＣＨ)、ＭＴＣ ＰＤＣＣＨ(ＭＡＣｈｉｎｅ ｔｙｐｅ ｃｏｍｍｕｎｉｃａｔｉｏｎ ＰＤＣＣＨ、ＭＰＤＣＣＨ)、Ｒ−ＰＤＣＣＨ(ｒｅｌａｙ ＰＤＣＣＨ)が設定されており、中止していないリレーノード(ｒｅｌａｙ ｎｏｄｅ、ＲＮ)の場合には、Ｒ−ＰＤＣＣＨに、又は狭帯域モノのインターネット(ｎａｒｒｏｗｂａｎｄ Ｉｎｔｅｒｎｅｔ ｏｆ ｔｈｉｎｇｓ、ＮＢ−ＩｏＴ)については狭帯域ＰＤＣＣＨ(ｎａｒｒｏｗｂａｎｄ ＰＤＣＣＨ、ＮＢＰＤＣＣＨ)を意味する。
【００４９】
本発明において、“多重連結(ｍｕｌｔｉ−ｃｏｎｎｅｃｔｉｖｉｔｙ)”又は“ＭＣ”は、多重セルグループが設定されたＲＲＣ＿ＣＯＮＮＥＣＴＥＤの状態でＵＥの動作モードを意味する。特に、“二重連結(ｄｕａｌ ｃｏｎｎｅｃｔｉｖｉｔｙ)”又は“ＤＣ”は、２つのセルグループ(マスターセルグループと２次セルグループ(Ｓｅｃｏｎｄａｒｙ ｃｅｌｌ ｇｒｏｕｐ)が設定されたＲＲＣ＿ＣＯＮＮＥＣＴＥＤの状態でＵＥの動作モードを意味する。ＤＣ又はＭＣにおいて、各セルグループはＢＳに連関するサービングセルのグループであり、ＰＣｅｌｌ又はＰＳＣｅｌｌ、そして選択的に１つ以上のＳＣｅｌｌを含む。特定のＵＥのためのＤＣ又はＭＣに関連するＢＳは２つの互いに異なる役割を果たすことができる:ｅＮＢ／ｇＮＢはマスターＢＳ又は２次ＢＳとして動作できる。ＤＣにおいて、ＵＥは１つのマスターｅＮＢ／マスターｇＮＢ(ｍａｓｔｅｒ ｅＮＢ／ｍａｓｔｅｒｇＮＢ、ＭｅＢＮ／ＭｇＮＢ)と１つの２次ｅＮＢ／マスターｇＮＢ(Ｓｅｃｏｎｄａｒｙ ｅＮＢ／ｍａｓｔｅｒｇＮＢ、ＳｅＮＢ／ＭｇＮＢ)に連結される。ＭＣにおいて、ＵＥは１つのＭｅＮＢ／ＭｇＮＢと１つ以上の２次ｅＮＢ／２次ｇＮＢ(Ｓｅｃｏｎｄａｒｙ ｅＮＢ／ｓｅｃｏｎｄａｒｙｇＮＢ、ＳｅＮＢ／ＳｇＮＢ)に連結される。
【００５０】
本発明において、二重連結(ＤＣ)動作について“特別のセル(Ｓｐｅｃｉａｌ Ｃｅｌｌ)”という用語は、マスターセルグループ(ｍａｓｔｅｒ ｃｅｌｌ ｇｒｏｕｐ、ＭＣＧ)のＰＣｅｌｌや２次セルグループ(Ｓｅｃｏｎｄａｒｙ ｃｅｌｌ ｇｒｏｕｐ、ＳＣＧ)のＰＣｅｌｌを称し、それ以外の場合、特別のセルはＰＣｅｌｌを称する。ＭＣＧは少なくともＳ１−ＭＭＥを終了するＭｅＮＢに連関するサービングセルのグループであり、ＳＣＧはＵＥにさらなる無線リソースを提供するものの、ＭｅＮＢではないＳｅＮＢに連関したサービングセルのグループである。ＳＣＧは１次ＳＣｅｌｌ(ｐｒｉｍａｒｙ ＳＣｅｌｌ、ＰＳＣｅｌｌ)及び選択的に１つ以上のＳＣｅｌｌで構成される。二重連結では、２つのＭＡＣエンティティーがＵＥに設定されるので、１つはＭＣＧのために、他の１つはＳＣＧのために設定される。ＲＲＣにより各々のＭＡＣエンティティーはＰＵＣＣＨ送信と競争方式のランダム接続(ｃｏｎｔｅｎｔｉｏｎ ｂａｓｅｄ ｒａｎｄｏｍ ａｃｃｅｓｓ)を支援するサービングセルを有するように設定される。この明細書において、ＳＰＣｅｌｌという用語はこのようなセルを意味し、反面ＳＣｅｌｌはそれ以外のサービングセルを意味する。ＳＰＣｅｌｌという用語は、ＭＡＣエンティティーがＭＣＧに連関するか、それともＳＣＧに連関するかによって、ＭＣＧのＰＣｅｌｌ又はＳＣＧのＰＳＣｅｌｌを示す。
【００５１】
本発明において、“Ｃ−ＲＮＴＩ”はセルＲＮＴＩを示し、“Ｇ−ＲＮＴＩ”はグループＲＴＮＩを示し、“Ｐ−ＲＮＴＩ”はページングＲＮＴＩを示し、“ＲＡ−ＲＮＴＩ”はランダム接続ＲＮＴＩを示し、“ＳＣ−ＲＮＴＩ”は単一セルＲＮＴＩを示し、“ＳＬ−ＲＮＴＩ”はサイドリンクＲＮＴＩを示し、また“ＳＰＳ Ｃ−ＲＮＴＩ”は準−持続的(Ｓｅｍｉ−ｐｅｒｓｉｓｔｅｎｔ)スケジューリングＣ−ＲＮＴＩを示す。
【００５２】
本発明で使用する用語及び技術のうち、具体的に説明されていない用語及び技術については、３ＧＰＰ ＬＴＥ／ＬＴＥ−Ａ標準文書、例えば、３ＧＰＰ ＴＳ ３６.２１１、３ＧＰＰ ＴＳ ３６.２１２、３ＧＰＰ ＴＳ ３６.２１３、３ＧＰＰ ＴＳ ３６．３００、３ＧＰＰ ＴＳ ３６．３２１、３ＧＰＰ ＴＳ ３６．３２２、３ＧＰＰ ＴＳ ３６．３２３及び３ＧＰＰ ＴＳ ３６．３３１、及び３ＧＰＰ ＮＲ標準文書、例えば、３８.ｘｘｘシリーズなどを参照できる。
【００５３】
図２はＥ−ＵＭＴＳ(Ｅｖｏｌｖｅｄ−Ｕｎｉｖｅｒｓａｌ Ｍｏｂｉｌｅ Ｔｅｌｅｃｏｍｍｕｎｉｃａｔｉｏｎ Ｓｙｓｔｅｍ)のネットワーク構造を示すブロック図である。Ｅ−ＵＭＴＳはＬＴＥシステムとも呼ばれる。通信ネットワークはＩＭＳ及びパケットデータを通じたＶｏＩＰ(Ｖｏｉｃｅ ｏｖｅｒ ＩＰ)のような様々なサービスを提供するために広く配置される。
【００５４】
図２に示したように、Ｅ−ＵＭＴＳネットワークはＥ−ＵＴＲＡＮ(ｅｖｏｌｖｅｄ ＵＭＴＳ ｔｅｒｒｅｓｔｒｉａｌ ｒａｄｉｏ ａｃｃｅｓｓ ｎｅｔｗｏｒｋ)、ＥＰＣ(ｅｖｏｌｖｅｄ Ｐａｃｋｅｔ ｃｏｒｅ)及び１つ以上のＵＥを含む。Ｅ−ＵＴＲＡＮは１つのセルに位置可能な１つ以上のｅＮＢ(ｅｖｏｌｖｅｄ ＮｏｄｅＢ)２０及び複数のＵＥ１０を含む。一つ以上のＥ―ＵＴＲＡＮ ＭＭＥ（Ｍｏｂｉｌｉｔｙ Ｍａｎａｇｅｍｅｎｔ Ｅｎｔｉｔｙ）／ＳＡＥ(Ｓｙｓｔｅｍ Ａｒｃｈｉｔｅｃｔｕｒｅ Ｅｖｏｌｕｔｉｏｎ）ゲートウェイ３０は、ネットワークの終端に位置し、外部ネットワークに接続することもできる。
【００５５】
本明細書において、「下りリンク（ｄｏｗｎｌｉｎｋ）」は、ｅＮＢ２０からUE１０への通信を称し、「上りリンク（ｕｐｌｉｎｋ）」は、UE１０からｅＮＢ２０への通信を称する。 
【００５６】
図３は、一般的なＥ―ＵＴＲＡＮと一般的なＥＰＣの構造を示すブロック図である。
【００５７】
図３に示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００５８】
ｅＮＢ２０は、一般にＵＥ１０と通信する固定局であって、基地局（ＢＳ）又はアクセスポイント（ａｃｃｅｓｓ ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００５９】
ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む。）遊休モード（ｉｄｌｅ ｍｏｄｅ）ＵＥ接近性（Ｒｅａｃｈａｂｉｌｉｔｙ）、（遊休モード及び活性モード（ａｃｔｉｖｅ ｍｏｄｅ）のＵＥのための）トラッキング領域リスト管理、ＰＤＮ ＧＷ及びサービングＧＷ選択、ＭＭＥ変化が伴うハンドオーバーのためのＭＭＥ選択、２Ｇ又は３Ｇ ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ Ｉｎｔｅｒｃｅｐｔｉｏｎ）、ＵＥ ＩＰアドレス割当て、下りリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００６０】
複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ ｎｅｔｗｏｒｋ ｓｔｒｕｃｔｕｒｅ）を有することができる。
【００６１】
図３に示したように、ｅＮＢ２０は、ゲートウェイ３０に対する選択、無線リソース制御（Ｒａｄｉｏ Ｒｅｓｏｕｒｃｅ Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、上りリンク及び下りリンクの全てにおける各ＵＥ１０のための動的リソース割当て、ｅＮＢ測定の構成及び準備、無線ベアラ制御、無線承認制御（Ｒａｄｉｏ Ａｄｍｉｓｓｉｏｎ Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ Ａｒｃｈｉｔｅｃｔｕｒｅ Ｅｖｏｌｕｔｉｏｎ、ＳＡＥ）ベアラ制御、及び非―接続層（Ｎｏｎ―Ａｃｃｅｓｓ Ｓｔｒａｔｕｍ、ＮＡＳ）シグナリングの暗号化及び完全性保護などの各機能を行うことができる。
【００６２】
ＥＰＣは、移動性管理エンティティー（Ｍｏｂｉｌｉｔｙ Ｍａｎａｇｅｍｅｎｔ Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ Ｄａｔａ Ｎｅｔｗｏｒｋ―Ｇａｔｅｗａｙ、ＰＤＮ―ＧＷ）を含む。ＭＭＥは主にＵＥの移動性を管理する目的で用いられる連結及び可用性に関する情報を有する。Ｓ―ＧＷは、Ｅ―ＵＴＲＡＮを終端点として有するゲートウェイであり、ＰＤＮ―ＧＷは、パケットデータネットワーク（ＰＤＮ）を終端点として有するゲートウェイである。
【００６３】
図４は、３ＧＰＰ無線接続網規格に基づくUEとＥ―ＵＴＲＡＮとの間の無線インターフェースプロトコルの制御平面及びユーザ平面の構造を示す図である。制御平面は、端末（Ｕｓｅｒ Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００６４】
ＬＴＥ／ＬＴＥ−Ａシステムの階層１（即ち、Ｌ１）は物理階層に相当する。第１階層（即ち、階層１又はＬ１）である物理階層は物理チャネル（ｐｈｙｓｉｃａｌ ｃｈａｎｎｅｌ）を用いて上位階層に情報送信サービス（ｉｎｆｏｒｍａｔｉｏｎ ｔｒａｎｓｆｅｒ ｓｅｒｖｉｃｅ）を提供する。物理層は、上位にある媒体接続制御（Ｍｅｄｉｕｍ ａｃｃｅｓｓ Ｃｏｎｔｒｏｌ）層とは送信チャネル（Ｔｒａｎｓｐｏｒｔ Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、下りリンクでＯＦＤＭＡ（Ｏｒｔｈｏｇｏｎａｌ Ｆｒｅｑｕｅｎｃｙ ｄｉｖｉｓｉｏｎ Ｍｕｌｔｉｐｌｅ ａｃｃｅｓｓ）方式で変調され、上りリンクでＳＣ―ＦＤＭＡ（Ｓｉｎｇｌｅ Ｃａｒｒｉｅｒ Ｆｒｅｑｕｅｎｃｙ ｄｉｖｉｓｉｏｎ Ｍｕｌｔｉｐｌｅ ａｃｃｅｓｓ）方式で変調される。
【００６５】
ＬＴＥ／ＬＴＥ−Ａシステムの階層２（即ち、Ｌ２）は次のサブ階層に分けられる：媒体接続制御（Ｍｅｄｉｕｍ ａｃｃｅｓｓ Ｃｏｎｔｒｏｌ、ＭＡＣ）、無線リンク制御（Ｒａｄｉｏ Ｌｉｎｋ Ｃｏｎｔｒｏｌ、ＲＬＣ）及びパケットデータ収斂プロトコル（Ｐａｃｋｅｔ Ｄａｔａ Ｃｏｎｖｅｒｇｅｎｃｅ Ｐｒｏｔｏｃｏｌ、ＰＤＣＰ）物理階層に相当する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ Ｄａｔａ Ｃｏｎｖｅｒｇｅｎｃｅ Ｐｒｏｔｏｃｏｌ）層は、帯域幅の狭い無線インターフェースでＩＰバージョン４（ＩＰ ｖｅｒｓｉｏｎ ４、ＩＰｖ４）パケットやＩＰバージョン６（ＩＰｖ６）パケットのようなＩＰ（ｉｎｔｅｒｎｅｔ ｐｒｏｔｏｃｏｌ）パケットを効率的に送信するために不必要な制御情報を減少させるヘッダ圧縮（Ｈｅａｄｅｒ Ｃｏｍｐｒｅｓｓｉｏｎ）機能を行う。
【００６６】
ＬＴＥ／ＬＴＥ−Ａシステムの第３階層(Ｌａｙｅｒ３、Ｌ３)は無線リソース制御(ｒａｄｉｏ ｒｅｓｏｕｒｃｅ ｃｏｎｔｒｏｌ、ＲＲＣ)及び非接続層(ｎｏｎ ａｃｃｅｓｓ ｓｔｒａｔｕｍ、ＮＡＳ)サブ階層を含む。第３階層(即ち、Ｌ３階層)の最下位に位置する無線リソース制御(ｒａｄｉｏ ｒｅｓｏｕｒｃｅ ｃｏｎｔｒｏｌ、ＲＲＣ)階層は制御平面のみで定義される。ＲＲＣ層は、各無線ベアラ（Ｒａｄｉｏ Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、ＵＥのＲＲＣ階層とＥ−ＵＴＲＡＮのＲＲＣ階層はＲＲＣメッセージをやり取る。ＲＲＣ階層の上位に位置するＮＡＳ階層はセクション管理と移動性管理のような機能を行う。
【００６７】
ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域で下りリンク又は上りリンク送信サービスを提供するように設定することができる。異なる各セルは、異なる各帯域を提供するように設定することもできる。
【００６８】
Ｅ―ＵＴＲＡＮから端末への送信のための下りリンク送信チャネル（Ｄｏｗｎｌｉｎｋ ｔｒａｎｓｐｏｒｔ Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ Ｃｈａｎｎｅｌ）、及びユーザトラフィック又は各制御メッセージを送信するための下りリンク共有チャネル（Ｓｈａｒｅｄ Ｃｈａｎｎｅｌ、ＳＣＨ）を含む。下りリンクマルチキャスト又はブロードキャストサービスのトラフィック又は制御メッセージの場合、下りリンクＳＣＨを介して送信することもでき、又は別途の下りリンクＭＣＨ（Ｍｕｌｔｉｃａｓｔ Ｃｈａｎｎｅｌ）を介して送信することもできる。
【００６９】
端末からネットワークにデータを送信する上りリンク送信チャネルとしては、初期制御メッセージを送信するＲＡＣＨ（Ｒａｎｄｏｍ ａｃｃｅｓｓ Ｃｈａｎｎｅｌ）と、その他にユーザトラフィックや制御メッセージを送信する上りリンクＳＣＨ（Ｓｈａｒｅｄ Ｃｈａｎｎｅｌ）とがある。送信チャネルの上位にあり、送信チャネルにマップされる論理チャネルとしては、ＢＣＣＨ（Ｂｒｏａｄｃａｓｔ Ｃｏｎｔｒｏｌ Ｃｈａｎｎｅｌ）、ＰＣＣＨ（Ｐａｇｉｎｇ Ｃｏｎｔｒｏｌ Ｃｈａｎｎｅｌ）、ＣＣＣＨ（Ｃｏｍｍｏｎ Ｃｏｎｔｒｏｌ Ｃｈａｎｎｅｌ）、ＭＣＣＨ（Ｍｕｌｔｉｃａｓｔ Ｃｏｎｔｒｏｌ Ｃｈａｎｎｅｌ）、及びＭＴＣＨ（Ｍｕｌｔｉｃａｓｔ Ｔｒａｆｆｉｃ Ｃｈａｎｎｅｌ）などがある。
【００７０】
図５は、Ｅ―ＵＭＴＳシステムで使用する物理チャネル構造の一例を示した図である。物理チャネルは、時間軸上にある複数のサブフレームと、周波数軸上にある複数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ Ｄｏｗｎｌｉｎｋ Ｃｏｎｔｒｏｌ Ｃｈａｎｎｅｌ）、即ち、Ｌ１／Ｌ２制御チャネルのために該当のサブフレームの特定シンボル（例えば、１番目のシンボル）の特定サブキャリアを用いることができる。図５には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは複数のＯＦＤＭシンボルで構成され、複数のＯＦＤＭシンボルのうち一部のシンボル（例えば、１番目のシンボル）は、Ｌ１／Ｌ２制御情報を送信するために使用することができる。 
【００７１】
無線フレームはデュプレックス（ｄｕｐｌｅｘ）モードによって異なるように設定（ｃｏｎｆｉｇｕｒｅ）され得る。例えば、ＦＤＤモードにおいて、下りリンク送信及び上りリンク送信は周波数によって区分されるため、無線フレームは特定の周波数帯域に対して下りリンクサブフレーム又は上りリンクサブフレームのいずれか一方だけを含む。ＴＤＤモードにおいて、下りリンク送信及び上りリンク送信は時間によって区分されるため、特定の周波数帯域に対して無線フレームは下りリンクサブフレーム及び上りリンクサブフレームの両方を含む。
【００７２】
サブフレームを送信するための時間は送信時間間隔（ｔｒａｎｓｍｉｓｓｉｏｎ ｔｉｍｅ  ｉｎｔｅｒｖａｌ；ＴＴＩ）と定義される。時間リソースは、無線フレーム番号（或いは無線フレームインデックスともいう。）、サブフレーム番号（或いは、サブフレーム番号ともいう。）、スロット番号（或いはスロットインデックスともいう。）などによって区分することができる。ＴＴＩとは、データがスケジューリングされ得る間隔を意味する。例えば、現在ＬＴＥ／ＬＴＥ−ＡシステムにおいてＵＬグラント或いはＤＬグラントの送信機会は１ｍｓごとに存在し、１ｍｓより短い時間内にはＵＬ／ＤＬグラント機会が複数回存在しない。従って、現在ＬＴＥ／ＬＴＥ−ＡシステムにおいてＴＴＩは１ｍｓである。
【００７３】
基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００７４】
例えば、特定のＰＤＣＣＨが"Ａ"というＲＮＴＩ(Ｒａｄｉｏ Ｎｅｔｗｏｒｋ Ｔｅｍｐｏｒａｒｙ Ｉｄｅｎｔｉｔｙ)にＣＲＣマスキング(ｍａｓｋｉｎｇ)されており、"Ｂ"という無線リソース(例えば、周波数位置)及び"Ｃ"という送信形式情報(例えば、輸送ブロックサイズ、変調方式、コーディング情報など)を用いて送信されるデータに関する情報が特定のサブフレームにより送信されると仮定する。その後、セルにいる１つ以上のＵＥは自分のＲＮＴＩ情報を用いてＰＤＣＣＨをモニタリングする。また、ＲＮＴＩ“Ａ”を有する特定のＵＥは、ＰＤＣＣＨを読み出してＰＤＣＣＨ情報にいるＢとＣにより指示されるＰＤＳＣＨを受信する。
【００７５】
ＵＥは電源が入ったり新しくセルに接続したりした場合に、セルとの時間及び周波数同期を得、セルの物理階層セル識別子(ｐｈｙｓｉｃａｌ ｌａｙｅｒ ｃｅｌｌ ｉｄｅｎｔｉｔｙ)ＮｃｅｌｌＩＤを検出するなどのセル探索(ｉｎｉｔｉａｌ ｃｅｌｌ ｓｅａｒｃｈ)過程を行う。このために、ＵＥはｅＮＢから同期信号、例えば、１次同期信号(Ｐｒｉｍａｒｙ Ｓｙｎｃｈｒｏｎｉｚａｔｉｏｎ Ｓｉｇｎａｌ、ＰＳＳ)及び２次同期信号(Ｓｅｃｏｎｄａｒｙ Ｓｙｎｃｈｒｏｎｉｚａｔｉｏｎ Ｓｉｇｎａｌ、ＳＳＳ)を受信して、ｅＮＢと同期を合わせ、セル識別子(ｉｄｅｎｔｉｔｙ、ＩＤ)などの情報を得る。初期セル探索を終えたＵＥは、ｅＮＢへの接続を完了するために、任意接続過程(ｒａｎｄｏｍ ａｃｃｅｓｓ ｐｒｏｃｅｄｕｒｅ)を行う。このために、ＵＥは物理任意接続チャネル(ｐｈｙｓｉｃａｌ ｒａｎｄｏｍ ａｃｃｅｓｓ ｃｈａｎｎｅｌ、ＰＲＡＣＨ)を介してプリアンブルを送信し、ＰＤＣＣＨ及びＰＤＳＣＨを介してプリアンブルに対する応答メッセージを受信する。競争基盤のランダム接続である場合、さらなるＰＲＡＣＨの送信と、ＰＤＣＣＨ及びＰＤＣＣＨに対応するＰＤＳＣＨのための競争解決手順(ｃｏｎｔｅｎｔｉｏｎ ｒｅｓｏｌｕｔｉｏｎ ｐｒｏｃｅｄｕｒｅ)を行うことができる。このような手順を行ったＵＥは、その後、一般的な上／下りリンク信号の送信手順としてＰＤＣＣＨ／ＰＤＳＣＨ受信及びＰＵＳＣＨ／ＰＵＣＣＨ送信を行う。
【００７６】
図６はＬＴＥ／ＬＴＥ−Ａシステムの無線プロトコル構造を示す。
【００７７】
図６を参照すると、１つのｅＮＢを考慮して、１つの無線ベアラに対して１つのＰＤＣＰエンティティーと１つのＲＬＣエンティティーが設定される。言い換えれば、ＬＴＥ／ＬＴＥ−Ａシステムにおいて、１つのＲＬＣエンティティーは１つのＰＤＣＰエンティティーに連結されてただ１つの無線ベアラのために使用される。
【００７８】
なお、Ｅ−ＵＴＲＡＮは二重連結(ＤＣ)動作を支援し、これによりＲＲＣ＿ＣＯＮＮＥＣＴＥＤ状態の多重受信／送信ＵＥは、非理想的なバックホール(ｎｏｎ−ｉｄｅａｌ ｂａｃｋｈａｕｌ)を通じてＸ２インターフェースにより連結された２つのｅＮＢに位置する２つの区分されるスケジューラが提供する無線リソースを用いるように設定される。ＭｅＮＢは少なくともＳ１−ＭＭＥを終結し(ｔｅｒｍｉｎａｔｅ)、ＭｅＮＢではないＳｅＮＢはＵＥにさらなる無線リソースを提供する。ＵＥがＤＣに設定されると、ＵＥは１つのＭｅＮＢと１つのＳｅＮＢに連結され、ＭＣＧとＳＣＧを有するように設定される。ＤＣにおいて、特定のベアラが用いる無線プロトコルの構造は、ベアラがセットアップされる方式による。ＭＣＧベアラ、ＳＣＧベアラ、またスプリットベアラ(Ｓｐｌｉｔ ｂｅａｒｅｒ)という３つのベアラタイプがある。ＭＣＧベアラは、ＭｅＮＢリソースのみを使用するために自分の無線プロトコルがＭｅＮＢのみに位置するベアラであり、ＳＣＧベアラはＳｅＮＢリソースのみを使用するために自分の無線プロトコルがＳｅＮＢのみに位置するベアラであり、スプリットベアラはＭｅＮＢリソースとＳｅＮＢリソースの両方を使用するために自分の無線プロトコルがＭｅＮＢとＳｅＮＢの両方に位置するベアラである。これらの３つのベアラタイプが図６に示されている。ＲＲＣはＭｅＮＢに位置し、ＳＲＢは常にＭＣＧベアラタイプに設定されてＭｅＮＢの無線リソースのみを使用する。ＵＥがＤＣに設定されていない場合と同様に、ＵＥがＤＣに設定される場合にも１つのＲＬＣエンティティーは１つのＰＤＣＰエンティティーに連結されて、ただ１つの無線ベアラのために使用される。
【００７９】
最近、ＬＴＥ／ＬＴＥ−ＡシステムにＬＴＥ−ＷＬＡＮ集成(ＬＴＥ−ＷＬＡＮ Ａｇｇｒｅｇａｔｉｏｎ、ＬＷＡ)動作が導入されている。Ｅ−ＵＴＲＡＮはＬＷＡ動作を支援し、これにより、ｅＮＢによりＲＲＣ＿ＣＯＮＮＥＣＴＥＤ状態のＵＥがＬＴＥとＷＬＡＮの無線リソースを用いるように設定される。ＬＴＥとＷＬＡＮの間のバックホール連結によって２つのシナリオが支援される。
【００８０】
−非理想的なバックホールのための非制御ＬＷＡシナリオ(ｎｏｎ−ｃｏｎｔｒｏｌｌｅｄ ＬＷＡ ｓｃｅｎａｒｉｏ)
【００８１】
−理想的なバックホールのための制御ＬＷＡシナリオ(ｃｏｎｔｒｏｌｌｅｄ ＬＷＡ ｓｃｅｎａｒｉｏ)
【００８２】
図７はＬＷＡのためのベアラタイプを示す図である。
【００８３】
ＬＷＡにおいて、特定のベアラが使用する無線プロトコル構造は、ＬＷＡバックホールシナリオとベアラがセットアップされる方式による。スプリットＬＷＡベアラとスイッチドＬＷＡベアラ(Ｓｗｉｔｃｈｅｄ ＬＷＡ ｂｅａｒｅｒ)という２つのベアラタイプがある。図７(ａ)は共同配置(ｃｏｌｌｏｃａｔｅｄ)シナリオについてこれらの２つのベアラタイプを示しており、図７(ｂ)は非共同配置(ｎｏｎ−ｃｏｌｌｏｃａｔｅｄ)シナリオについてこれらの２つのベアラタイプを示している。スプリットＬＷＡベアラは、ＬＷＡにおいてｅＮＢとＷＬＡＮの両方の無線リソースを使用するために自分の無線プロトコルがｅＮＢとＷＬＡＮの両方に位置しているベアラである。スイッチドＬＷＡベアラは自分の無線プロトコルがｅＮＢとＷＬＡＮの両方に位置するが、ＬＷＡにおいてＷＬＡＮの無線リソースのみを使用するベアラである。
【００８４】
ＬＷＡ動作において、ＷＬＡＮにより送信されるＰＤＵのために、ＬＴＥ−ＷＬＡＮ集成適応プロトコル(ＬＴＥ−ＷＬＡＮ Ａｇｇｒｅｇａｔｅｄ Ａｄａｐｔａｔｉｏｎ Ｐｒｏｔｏｃｏｌ、ＬＷＡＡＰ)エンティティーは、データ無線ベアラ(ｄａｔａ ｒａｄｉｏ ｂｅａｒｅｒ、ＤＲＢ)識別子を含むＬＷＡ ＰＤＵを生成し、ＷＴはデータをＷＬＡＮを介してＵＥに伝達するために、ＬＷＡ ＥｔｈｅｒＴｙｐｅ ０ｘ９Ｅ６５を用いる。ＬＷＡ ＰＤＵはＷＬＡＮを介する送信のためにＬＷＡＡＰエンティティーが生成したＤＲＢ識別子を有するＰＤＵである。ＵＥは受信したＰＤＵがＬＷＡベアラに属すると判断するために、ＬＷＡ ＥｔｈｅｒＴｙｐｅを用い、ＰＤＵがどのＬＷＡベアラに属するかを判断するために、ＤＲＢ識別子を用いる。下りリンクにおいて、ＬＷＡはスプリットベアラ動作を支援するので、スプリットベアラ動作においてＵＥのＰＤＣＰサブ階層はＤＣに導入された再整列(ｒｅｏｒｄｅｒｉｎｇ)手順に基づいて上位階層ＰＤＵの順次伝達を支援する。上りリンクにおいて、ＰＤＣＰ ＰＤＵはＬＴＥを介してのみ送信される。ＷＴからフィードバックが不可能な場合、ＬＷＡを支援するＵＥはＰＤＣＰ状態報告(ＰＤＣＨ ｓｔａｔｕｓ ｒｅｐｏｒｔ)やＬＷＡ ＰＤＣＰ状態報告(ＬＷＡ ＰＤＣＰ ｓｔａｔｕｓ ｒｅｐｏｒｔ)を送信するようにｅＮＢにより設定される。ＬＷＡベアラについてはただＲＬＣ ＡＭのみが設定される。
【００８５】
一般的にＲＲＣ階層がＬＷＡＡＰ設定を管理する。ＬＷＡＡＰサブ階層の機能はＬＷＡＡＰエンティティーにより行われる。ｅＮＢに設定されたＬＷＡＡＰエンティティーについて、ＵＥにピア(ｐｅｅｒ)ＬＷＡＡＰエンティティーが設定され、その逆の場合も可能である。全てのＬＷＡベアラについて、ｅＮＢに１つのＬＷＡＡＰエンティティー、ＵＥに１つのＬＷＡＡＰエンティティーが存在する。ＬＷＡＡＰエンティティーは上位階層から／にＬＷＡＡＰ ＳＤＵを受信／伝達し、ＷＬＡＮを介して自分のピアＬＷＡＡＰエンティティーに／からＬＷＡＡＰ ＰＤＵを送信／受信する。
【００８６】
−ｅＮＢにおいて、ＬＷＡＡＰエンティティーが上位階層からＬＷＡＡＰ ＳＤＵを受信すると、ＬＷＡＡＰエンティティーは該当ＬＷＡＡＰ ＰＤＵを構成して下位階層に伝達する。
【００８７】
−ＵＥにおいて、ＬＷＡＡＰエンティティーが下位階層からＬＷＡＡＰ ＰＤＵを受信すると、ＬＷＡＡＰエンティティーは該当ＬＷＡＡＰ ＳＤＵを構成して上位階層に伝達する。
【００８８】
ＬＷＡＡＰエンティティーは下位階層エンティティーに／からＬＷＡＡＰデータＰＤＵを伝達／受信する。
【００８９】
下位階層からＬＷＡＡＰデータＰＤＵを受信すると、ＵＥのＬＷＡＡＰエンティティーは、
【００９０】
−ＬＷＡＡＰベアラに含まれたＤＲＢ識別子に基づいてＬＷＡＡＰ ＳＤＵの目的地である上位階層エンティティーを識別する。
【００９１】
−ＬＷＡＡＰデータＰＤＵにおいて、ＬＷＡＡＰヘッダを除去してＬＷＡＡＰデータＰＤＵからＬＷＡＡＰ ＳＤＵを再構成する(ｒｅａｓｓｅｍｂｌｅ)。
【００９２】
−再構成されたＬＷＡＡＰ ＳＤＵをＤＲＢ識別子により識別された上位階層エンティティーに伝達する。
【００９３】
図８はＰＤＣＰサブ階層について可能な１つの構造の一例を示す図である。
【００９４】
各々の無線ベアラ(ｒａｄｉｏ ｂｅａｒｅｒ、ＲＢ)(即ち、データ無線ベアラ(ｄａｔａ ｒａｄｉｏ ｂｅａｒｅｒ、ＤＲＢ)、サイドリンク無線ベアラ(Ｓｉｄｅｌｉｎｋ ｒａｄｉｏ ｂｅａｒｅｒ、ＳＬＲＢ、そしてＳＲＢ０とＳＲＢ１ビットを除外したシグナリング無線ベアラ(Ｓｉｇｎａｌｉｎｇ ｒａｄｉｏ ｂｅａｒｅｒ、ＳＲＢ))は、１つのＰＤＣＰエンティティーに連関される。各々のＰＤＣＰエンティティーはＲＢ特性(即ち、単方向又は両方向)とＲＬＣモードによって１つ或いは(各方向について１つずつ)２つのＲＬＣエンティティーに連関される。スプリットベアラについて、各々のＰＤＣＰエンティティーは２つのＡＭ ＲＬＣエンティティーに連関される。ＬＷＡベアラについて、各々のＰＤＣＰエンティティーはＡＭ ＲＬＣエンティティーとＬＷＡＡＰエンティティーに連関される。ＰＤＣＰエンティティーはＰＤＣＰサブ階層に位置する。ＰＤＣＰサブ階層は上位階層(例えば、ＲＲＣ階層)により設定される。ＰＤＣＰエンティティーはＰＤＣＰサブ階層に位置する。いくつのＰＤＣＰエンティティーがＵＥのために定義される。ユーザ平面データを伝達する各々のＰＤＣＰエンティティーは、ヘッダ圧縮を使用するように設定される。各々のＰＤＣＰエンティティーは１つの無線ベアラのデータを伝達する。この明細書では、堅固なヘッダ圧縮プロトコル(ｒｏｂｕｓｔ ｈｅａｄｅｒ ｃｏｍｐｒｅｓｓｉｏｎ ｐｒｏｔｏｃｏｌ、ＲＯＨＣ)のみが支援される。全てのＰＤＣＰエンティティーは最大１つの圧縮インスタンス(ＲＯＨＣ ｃｏｍｐｒｅｓｓｉｏｎ ｉｎｓｔａｎｃｅ)と最大１つのＲＯＨＣ圧縮解除インスタンス(ＲＯＨＣ ｄｅｃｏｍｐｒｅｓｓｉｏｎ ｉｎｓｔａｎｃｅ)を使用する。ＰＤＣＰエンティティーは自分がどの無線ベアラのためのデータを伝達するかによって、制御平面又はユーザ平面に連関される。
【００９５】
図９はＰＤＣＰサブ階層のＰＤＣＰエンティティーの機能図を示す。
【００９６】
ＰＤＣＰは以下のような機能を支援する:ＲＯＨＣプロトコルを使用してＩＰデータのヘッダ圧縮及び圧縮解除；(ユーザ平面又は制御平面)データの伝達；ＰＤＣＰ ＳＮの維持；下位階層の再設定時(ｒｅ−ｅｓｔａｂｌｉｓｈｍｅｎｔ ｏｆ ｌｏｗｅｒ ｌａｙｅｒｓ)上部階層ＰＤＵの順次伝達；ＲＬＣ ＡＭにマッピングされた無線ベアラのための下位階層の再設定時、下位階層ＳＤＵの重複除去(ｄｕｐｌｉｃａｔｅ ｅｌｉｍｉｎａｔｉｏｎ)；ユーザ平面データと制御平面データの暗号化(ｃｉｐｈｅｒｉｎｇ)及び復号化(ｄｅｃｉｐｈｅｒｉｎｇ)；サイドリンク１：１通信データの無欠性保護及び無欠性検証；ＲＮに対するユーザ平面データの無欠性保護及び無欠性検証；タイマー基盤削除；重複廃棄(ｄｕｐｌｉｃａｔｅ ｄｉｓｃａｒｄｉｎｇ)、及び／又はスプリットベアラ及びＬＷＡベアラについてのルーティング及び再整列(ｒｅｏｒｄｅｒｉｎｇ)。
【００９７】
ＰＤＣＰエンティティーはＰＤＣＰサブ階層に位置する。いくつのＰＤＣＰエンティティーがＵＥのために定義されることができる。ユーザ平面データを伝達する各々のＰＤＣＰエンティティーは、ヘッダ圧縮を用いるように設定されることができる。各々のＰＤＣＰエンティティーは１つの無線ベアラのデータを伝達する。各々のＰＤＣＰエンティティーは最大１つのＲＯＨＣ圧縮インスタンスと最大１つのＲＯＨＣ圧縮解除インスタンスを使用する。
【００９８】
スプリットベアラについて、ルーティングは送信ＰＤＣＰエンティティーで行われ、再整列は受信ＰＤＣＰエンティティーで行われる。ＰＤＣＰ ＰＤＵを提出するように下位階層から要求されると、送信ＰＤＣＰエンティティーは、
【００９９】
＞ｕｌ−ＤａｔａＳｐｌｉｔＴｈｒｅｓｈｏｌｄは設定され、送信に利用可能なデータのサイズがul-DataSplitThreshold 以上であると:
【０１００】
＞＞ＰＤＵがどのエンティティーにより要請されても、ＰＤＣＰ ＰＤＵをＳＣＧのために設定された関連ＡＭ ＲＬＣエンティティーやＭＣＧのために設定された関連ＡＭ ＲＬＣエンティティーに提出する；
【０１０１】
＞それ以外に:
【０１０２】
＞＞上位階層(例えば、ＲＲＣ階層)によりul-DataSplitDRB-ViaSCGがTRUEに設定される場合:
【０１０３】
＞＞＞ＳＣＧのために設定された関連下位階層がＰＤＵを要請すると:
【０１０４】
＞＞＞＞ＰＤＣＰ ＰＤＵをＳＣＧのために設定された関連下位階層に提出する；
【０１０５】
＞＞それ以外に:
【０１０６】
＞＞＞ＭＣＧのために設定された関連下位階層がＰＤＵを要請すると:
【０１０７】
＞＞＞＞ＰＤＣＰ ＰＤＵをＭＣＧのために設定された関連下位階層に提出する。
【０１０８】
パラメータｕｌ−ＤａｔａＳｐｌｉｔＴｈｒｅｓｈｏｌｄは上りリンクデータ分割動作のための臨界値を示し、パラメータｕｌ−ＤａｔａＳｐｌｉｔＤＲＢ−ＶｉａＳＣＧはＵＥがＳＣＧによりＰＤＣＰ ＰＤＵを送信するか否かを示す。
【０１０９】
ＬＷＡベアラについて、ルーティングは送信ＰＤＣＰエンティティーで行われ、再整列は受信ＰＤＣＰエンティティーで行われる。ＵＥの送信ＰＤＣＰエンティティーは関連ＡＭ ＲＬＣエンティティーにＰＤＣＰ ＰＤＵを提出するだけである。
【０１１０】
ＰＤＣＰは自分のサービスをＵＥではＲＲＣとユーザ平面の上位階層に提供し、ｅＮＢでは中継器に提供する。以下のようなサービスはＰＤＣＰにより上位階層に提供される:ユーザ平面データの伝達；制御平面データの伝達；ヘッダ圧縮；暗号化；及び／又は無欠性保護。
【０１１１】
ＰＤＣＰエンティティーはＲＬＣエンティティーごとの下位階層から以下のようなサービスを期待する:ＰＤＣＰ ＰＤＵの成功的な伝達の指示を含む、受信確認データ伝達サービス(ａｃｋｎｏｗｌｅｄｇｅｄ ｄａｔａ ｔｒａｎｓｆｅｒ ｓｅｒｖｉｃｅ)；受信失敗データ伝達サービス(ｕｎａｃｋｎｏｗｌｅｄｇｅｄ ｄａｔａ ｔｒａｎｓｆｅｒ ｓｅｒｖｉｃｅ)；下位階層の再−設定時を除外して順次伝達；及び／又は下位階層の再設定時を除外した重複削除。
【０１１２】
ＰＤＣＰ ＰＤＵのタイプには、ＰＤＣＰデータＰＤＵとＰＤＣＰ制御ＰＤＵの２つの種類がある。ＰＤＣＰ ＰＤＵは長さがバイト整列された(即ち、８ビット倍数で)ビットストリング(Ｓｔｒｉｎｇ)である。
【０１１３】
図１０は既存のＬＴＥ／ＬＴＥ−Ａシステムで使用されるＰＤＣＨデータＰＤＵのフォーマットを示す図である。図１０(ａ)は制御平面ＳＲＢのためのデータを伝達する制御平面ＰＤＣＰデータＰＤＵのフォーマットを示し、図１０(ｂ)は１２ビットＳＮ長さが使用される場合、ユーザ平面ＰＤＣＰデータＰＤＵのフォーマットを示す。図１０(ｃ)はＰＤＣＰ制御ＰＤＵのフォーマットのうちの１つを示す。特に、図１０(ｃ)は１つの散在(ｉｎｔｅｒｓｐｅｒｓｅｄ)ＲＯＨＣフィードバックパケットを伝達するＰＤＣＰ制御ＰＤＵのフォーマットを示す。図１０(ｃ)に示したＰＤＣＰ制御ＰＤＵのフォーマットと同様に、ＰＤＣＰ状態報告を伝達するＰＤＣＰ制御ＰＤＵはＰＤＣＰヘッダにＤ／ＣＢＧフィールドとＰＤＰタイプフィールドを含む。
【０１１４】
ＰＤＣＰデータＰＤＵのデータフィールドは圧縮されていないＰＤＣＰ ＳＤＵ(ユーザ平面データ又は制御平面データ)又は圧縮されたＰＤＣＰ ＳＤＵ(ユーザ平面データのみ)のうち、１つを含むことができる。
【０１１５】
表１に示したように、Ｄ／Ｃフィールドは該当ＰＤＣＰ ＰＤＵがＰＤＣＰ制御ＰＤＵであるか又はＰＤＣＰデータＰＤＵであるかを表す。
【０１１６】
【表１】
0006948388.tif 000002
【０１１７】
Ｄ／Ｃフィールドが該当ＰＤＣＰ ＰＤＵはＰＤＣＰ制御ＰＤＵであると指示する場合、ＰＤＣＵ ＰＤＵのヘッダはさらにＰＤＵタイプのフィールドを含む。表２に示したように、ＰＤＣＰタイプのフィールドはＰＤＣＰ制御ＰＤＵに含まれた内容のタイプを表す。
【０１１８】
【表２】
0006948388.tif 000003
【０１１９】
上記表は既存のＬＴＥシステムで使用されるＰＤＣＰ ＳＤＵタイプを示す。ＰＤＣＰヘッダのＳＤＵタイプフィールド(３ビット)はＩＰ、ＡＲＰ及びＰＣ５を区分するために使用される。ＰＤＣＰ ＳＤＵタイプ"Ｎｏｎ−ＩＰ"について、"Ｎｏｎ−ＩＰタイプ"ヘッダはＴＳ ３ＧＰＰＰ ＴＳ ２４.３３４に明示されているように送信されるｎｏｎ−ＩＰメッセージのタイプを指示するように上位階層によりＳＤＵに含まれる。ＰＤＣＰエンティティーはＳＤＵタイプごとに異なる方式でＳＤＵを取り扱う。例えば、ヘッダ圧縮はＩＰ ＳＤＵには適用できるが、ＡＲＰ ＳＤＵやＮｏｎ−ＩＰ ＳＤＵには適用されない。
【０１２０】
【表３】
0006948388.tif 000004
【０１２１】
近い将来に全く移動可能でありながらも連結された社会が予想され、これは連結性（ｃｏｎｎｅｃｔｉｖｉｔｙ）、交通量及びもっと広い範囲の使用シナリオにおいて巨大な成長によって特徴付けられるであろう。一般的な趨勢は、データトラフィックの爆発的な成長、連結された装置の大幅な増加及び新しいサービスの持続的な出現を含む。市場要求事項の他にも、モバイル通信社会そのものはまたエコシステムの持続的な開発を要求し、これはスペクトル効率、エネルギー効率、動作効率、費用効率などのシステム効率をもっと改善する必要性を発生させる。市場及びモバイル通信社会からのずっと上昇する要求事項を満たすために、次世代接近技術が近い将来に出現すると期待される。３ＧＰＰ ＳＡ１の研究項目であるＳＭＡＲＴＥＲ(Ｎｅｗ Ｓｅｒｖｉｃｅｓ ａｎｄ Ｍａｒｋｅｔｓ Ｔｅｃｈｎｏｌｏｇｙ Ｅｎａｂｌｅｒｓ)及びＳＡ２の研究項目である新しいＲＡＴシステム(５Ｇシステムとも呼ばれる)に対するアーキテクチャ(Ａｒｃｈｉｔｅｃｔｕｒｅ ｆｏｒ ＮＲ ｓｙｓｔｅｍ)だけではなく、ＩＴＵ−Ｒ Ｍ.２０８３"Ｆｒａｍｅｗｏｒｋ ａｎｄ ｏｖｅｒａｌｌ ｏｂｊｅｃｔｉｖｅｓ ｏｆ ｔｈｅ ｆｕｔｕｒｅ ｄｅｖｅｌｏｐｍｅｎｔ ｏｆ ＩＭＴ ｆｏｒ ２０２０ ａｎｄ ｂｅｙｏｎｄ"のようにＩＴＵ及び３ＧＰＰで新しい無線(ＮＲ)システムに対する要求事項及び仕様を開発する作業が開始されている。緊急な市場要求とＩＴＵ−Ｒ ＩＭＴ−２０２０プロセスで提示するより長期的な要求事項を適時に満たすＮＲシステムを成功的に標準化するために必要な技術構成要素を確認して開発しなければならない。これを達成するために、無線インターフェース及び無線ネットワークのアーキテクチャの進化が"新しい無線接続技術(Ｎｅｗ Ｒａｄｉｏ Ａｃｃｅｓｓ Ｔｅｃｈｎｏｌｏｇｙ)"で考慮される必要がある。本発明に関連するＮＲシステムに対する３ＧＰＰの合議事項、用語及び／又は技術は３ＧＰＰ ＴＲ ３６.８４２、３ＧＰＰ ＴＲ ３８.８０１、３ＧＰＰ ＴＲ ３８.８０４、３ＧＰＰ ＴＲ ２３.７７９及び３ＧＰＰ ＴＳ ３８.ｘｘｘシリーズを参照できる。
【０１２２】
ＵＲＬＬＣにおいて、パケットは要求される目標遅延(ｌａｔｅｎｃｙ)内で９９．９９９％に至る非常に高い信頼度で正確に受信されなければならない。目標遅延が１ｍｓと低いので、ＨＡＲＱのような既存の技術では超高信頼度を達成するには足りない。求められる目標遅延内でユーザデータと制御シグナリングの両方の信頼度を高めるためにパケット複製(Ｐａｃｋｅｔ ｄｕｐｌｉｃａｔｉｏｎ)を使用でき、パケット複製がリンク選択の代わりに用いられることができる。同一技術は高移動性、超高密度の配置のように挑戦的なシナリオに含まれた移動性堅固さも改善可能である。ＮＲシステムに対する３ＧＰＰ会議で、ＵＲＬＬＣを支援するために求められる程度の高い信頼度を保障するために多重リンクにかけてパケットを複製する二重連結(ＤＣ)と多重連結(ＭＣ)構造の使用に関する論議があった。ＮＲシステムに関する３ＧＰＰ会議では、パケット複製をＮＲのＰＤＣＰ(即ち、ＮＲ−ＰＤＣＨ)でユーザ平面と制御平面に支援し、送信器のＰＤＣＰ機能はパケット複製を支援し、受信器のＰＤＣＰ機能は複製パケット廃棄を支援することに合議した。かかる目的のために、複製機能を導入するために送信器のＰＤＣＰを修訂する必要がある。言い換えれば、ＮＲにおいて送信器のＰＤＣＰはＰＤＣＰ ＰＤＵを複製し、複製したＰＤＣＰ ＰＤＵを多数のＲＬＣエンティティー(又はＬＷＡ場合には、ＬＷＡＡＰエンティティー)に送信可能でなければならない。
【０１２３】
パケット非複製に比べてパケット複製は上述した長所を有する。しかし、パケット複製を行う送信器が多数の無線リンクを介して同一のＰＤＣＰ ＰＤＵを送信するので、パケット非複製に比べてパケット複製ではより多い無線リソースを消費するという短所がある。従って、無線リソース消費の側面でパケット複製がいつも有用であることではない。ＵＲＬＬＣ送信やハンドオーバーのように特別な場合には、パケット複製を適用することが好ましい。本発明はパケット複製の長所を維持しながら、パケット複製の短所を減らす新しい方法を提案する。
【０１２４】
これを勘案して、本発明はパケット複製が必ず必要な場合に適用することを提案する。かかる目的のために、本発明は受信器が送信器にＰＤＣＰのパケット複製機能の活性化又は活性解除を命令することを提案する。特別な状況、例えば、悪い無線状態や重要なパケット送信などの場合にのみパケット複製が有用であるので、受信器は送信器にＰＤＣＰに設定されたパケット複製機能を活性化するか又は活性解除を命令することができる。本発明において、パケット複製機能を支援するか否かはＲＲＣシグナリング(例えば、無線ベアラ設定情報)によりＰＤＣＰごとに又は無線ベアラごとに設定される。又は各々のＰＤＣＰはいつもパケット複製機能が設定される必要があることをＮＲシステムで又は標準文書により予め定義することができる。本発明では、たとえ無線ベアラ又はＰＤＣＰがパケット複製を支援するように設定されても、送信器のＰＤＣＰが全てのＰＤＣＰ ＰＤＵに対してパケット複製を行う必要はない。該当ＰＤＣＰ／ＲＢに対するパケット複製を活性化する命令があれば、送信器のＰＤＣＰはパケット複製を行うことができ、パケット複製を活性化する命令がないと、送信器のＰＤＣＰはパケット複製を行わない。その代わりに、該当ＰＤＣＰ／ＲＢに対するパケット複製を活性解除する命令がないと、送信器のＰＤＣＰはパケット複製を行うことができ、パケット複製を活性解除する命令があれば、送信器のＰＤＣＰはパケット複製を行わない。
【０１２５】
ＰＤＣＰやＲＢはＲＲＣにより設定されるので、パケット複製はＲＲＣ(シグナリング)によりＰＤＣＰごとに又はＲＢごとに設定される。本発明において、パケット複製機能をより迅速に活性化／活性解除するために、ＰＤＣＰ／ＲＢに対するパケット複製の活性化／活性解除をＲＲＣよりもっと下位の階層(例えば、ＭＡＣやＰＤＣＰ)でシグナリングするか又は制御することができる。
【０１２６】
例えば、本発明において、受信器のＰＤＣＰは送信器のＰＤＣＰにパケット複製機能の活性化／活性解除を命令することができる。この場合、受信器のＰＤＣＰが送信器のＰＤＣＰにＰＤＣＰのパケット複製機能の活性化／活性解除を命令するように新しい２階層ＰＤＵ(例えば、ＰＤＣＰ ＰＤＵ)を導入することができる。
【０１２７】
図１１は本発明によるパケット送信の他の例を示す図である。
【０１２８】
図１１を参照すると、受信器(例えば、ｇＮＢ)はＲＢ設定情報(例えば、ＲＢのセットアップ／変更／解除のために使用されるＲａｄｉｏＲｅｓｏｕｒｃｅＣｏｎｆｉｇＤｅｄｉｃａｔｅｄ)を送信器(例えば、ＵＥ)に送信することができる(Ｓ１１０１)。ＲＢ設定情報はＲＢに連関した１つのＰＤＣＰエンティティーと３つのＲＬＣエンティティーに関する設定情報を含む。ＵＥはＲＢ設定情報に基づいて１つのＰＤＣＰエンティティーと３つのＲＬＣエンティティーを設定できる。言い換えれば、ＵＥはＲＢ設定情報に基づいてＲＢを１つのＰＤＣＰエンティティーと３つのＲＬＣエンティティーに連関させることができる。ＲＢに対するＰＤＣＰエンティティーは３つのＲＬＣエンティティーに連関する。パケット複製機能が活性化されないと、ＰＤＣＰエンティティー(即ち、送信ＰＤＣＰエンティティー)は１つの下位階層エンティティー(例えば、１つのＲＬＣ)にＰＤＣＰ ＰＤＵを提出することができる(Ｓ１１０２)。ＲＢ設定情報は(パケット複製機能が活性化されていない間に)どの下位階層エンティティーにＰＤＣＰ ＰＤＵを提出するかを指示する情報を含むことができる。
【０１２９】
送信器(例えば、図１１のＵＥ)は“Ｄｕｐｌｉｃａｔｉｏｎ＿Ｏｎ”の命令(即ち、パケット複製機能活性化命令)を受信器(例えば、図１１のｇＮＢ)から受信し、ＰＤＣＰについてのパケット複製機能の適用を開始する。言い換えれば、本発明においてＰＤＣＰエンティティーやＲＢに対してパケット複製機能が活性化されると、送信側のＰＤＣＰエンティティー(ＰＤＣＰ送信器)はパケット複製機能の適用を開始する。
【０１３０】
例えば、ＰＤＣＰ送信器(即ち、送信器のＰＤＣＰエンティティー)はＰＤＣＰ受信器から“Ｄｕｐｌｉｃａｔｉｏｎ＿Ｏｎ”命令を受信すると(Ｓ１１０4)、その時からＰＤＣＰ送信器はＰＤＣＰ ＰＤＵの複製を開始し、複製されたＰＤＣＰ ＰＤＵをＰＤＣＰエンティティーが連結された多数の下位階層エンティティーに送信する(Ｓ１１０５)。従って、ＰＤＣＰエンティティーでパケット複製機能が活性化されると、ＰＤＣＰエンティティーに連関する多数の下位階層エンティティーは各々のＰＤＣＰエンティティーから提出された同一のパケットを含む該当下位階層ＰＤＵを送信する。
【０１３１】
ＰＤＣＰ送信器がＰＤＣＰ受信器から“Ｄｕｐｌｉｃａｔｉｏｎ＿Ｏｆｆ”の命令(即ち、パケット複製機能の活性解除命令)を受信すると(Ｓ１１０７)、ＰＤＣＰ送信器はその時からＰＤＣＰ ＰＤＵの複製を中断し、多数の下位階層エンティティーのうち、ただ１つの下位階層エンティティーにＰＤＣＰ ＰＤＵを送信する(Ｓ１１０８)。ただ１つの下位階層エンティティーは、連関するＰＤＣＰエンティティーから提出されたＰＤＣＰ ＰＤＵを含む下位階層ＰＤＵを送信する。ＰＤＣＰ送信器がＰＤＣＰ ＰＤＵを提出する唯一の下位階層エンティティーは、ＲＢ設定情報により指示されることができる。例えば、図１１を参照すると、ＲＢ設定情報が１次ＲＬＣとしてＲＬＣ２への送信を指示する情報を含むと、ＰＤＣＰエンティティーはＰＤＣＰエンティティーに連関するＲＬＣ１、ＲＬＣ２及びＲＬＣ３のうち、ＲＬＣ２のみにＰＤＣＰ ＰＤＵを提出することができる。
【０１３２】
図１２は本発明によるパケット送信のさらに他の例を示す図である。
【０１３３】
図１２を参照すると、受信器(例えば、ｇＮＢ)はＲＢ設定情報を送信器(例えば、ＵＥ)に送信することができる(Ｓ１２０１)。ＲＢ設定情報はＲＢに連関した１つのＰＤＣＰエンティティーと３つのＲＬＣエンティティーに関する設定情報を含む。ＵＥはＲＢ設定情報に基づいて１つのＰＤＣＰエンティティーと３つのＲＬＣエンティティーを設定できる。言い換えれば、ＵＥはＲＢ設定情報に基づいてＲＢを１つのＰＤＣＰエンティティーと３つのＲＬＣエンティティーに連関させることができる。ＲＢに対するＰＤＣＰエンティティーは３つのＲＬＣエンティティーに連関される。パケット複製機能が活性化されないと、ＰＤＣＰエンティティー(即ち、送信ＰＤＣＰエンティティー)は１つの下位階層エンティティー(例えば、１つのＲＬＣ)にＰＤＣＰ ＰＤＵを提出することができる(Ｓ１２０２)。ＲＢ設定情報は(パケット複製機能が活性化されていない間に)どの下位階層エンティティーにＰＤＣＰ ＰＤＵを提出するかを指示する情報を含むことができる。
【０１３４】
本発明において、受信器は送信器のＰＤＣＰエンティティーに連関する多数の下位階層エンティティーの一部のみに複製されたＰＤＣＰ ＰＤＵを送信することを送信器に命令することができる。ＰＤＣＰエンティティーは受信器が指示した、多数の下位階層エンティティーの一部のみに自分のＰＤＣＰ ＰＤＵを提出する。
【０１３５】
例えば、ＰＤＣＰ受信器はＰＤＣＰ送信器に多数の下位階層エンティティーの一部のみに複製されたＰＤＣＰ ＰＤＵを送信することを命令することができる(Ｓ１２０４、Ｓ１２０７)。図１２において、Ｄｕｐｌｉｃａｔｉｏｎ＿Ｏｎの命令にはＰＤＣＰ送信器がどの下位階層エンティティーに複製されたＰＤＣＰ ＰＤＵを送信するかを指示する情報を含むことができる(Ｓ１２０４)。Ｄｕｐｌｉｃａｔｉｏｎ＿Ｏｆｆの命令もＰＤＣＰ送信器がどの下位階層エンティティーに複製されたＰＤＣＰ ＰＤＵの送信を中断するかを指示する情報を含むことができる(Ｓ１２０７)。どの下位階層エンティティーに複製されたＰＤＣＰ ＰＤＵを送信するかを指示する下位階層指示子を含むただ１つのタイプの複製命令(例えば、Ｄｕｐｌｉｃａｔｉｏｎ＿Ｏｎ又はＤｕｐｌｉｃａｔｉｏｎ＿Ｏｆｆ)のみを定義することができる。
【０１３６】
ＰＤＣＰエンティティーは受信器が指示した下位階層エンティティーのみに自分のＰＤＣＰ ＰＤＵを提出する(Ｓ１２０５、Ｓ１２０８)。
【０１３７】
本発明において、Ｄｕｐｌｉｃａｔｉｏｎ＿ＯｎとＤｕｐｌｉｃａｔｉｏｎ＿Ｏｆｆの命令は、ＰＤＣＰ制御ＰＤＵにより送信される。これらは１つのタイプのＰＤＣＰ制御ＰＤＵや別個のタイプのＰＤＣＰ制御ＰＤＵで定義される。ＰＤＣＰヘッダにはＰＤＣＰ ＰＤＵがＤｕｐｌｉｃａｔｉｏｎ＿Ｏｎ及び／又はＤｕｐｌｉｃａｔｉｏｎ＿Ｏｆｆの命令を含むか否かを指示するための指示子を含むことができる。
【０１３８】
本発明において、ＰＤＣＰ送信器は、ＵＥ、ｅＮＢ、ｇＮＢ又はそれ以外の他の無線ネットワーク／装置に位置する。ＰＤＣＰ受信器は、ＵＥ、ｅＮＢ、ｇＮＢ又はそれ以外の他の無線ネットワーク／装置に位置する。下位階層エンティティーは、ＲＬＣ、ＬＷＡＡＰ又はそれ以外の他の第２階層エンティティーであることができる。
【０１３９】
以上、ＰＤＣＰを一例として本発明を説明したが、他の第２階層、例えば、ＲＬＣやＭＡＣに本発明を適用することも可能である。言い換えれば、ＭＡＣ ＰＤＵやＲＬＣ ＰＤＵを本発明の複製活性化又は活性解除命令を含む第２階層ＰＤＵとして使用することができる。例えば、ＭＡＣ ＣＥがＰＤＣＰでパケット複製の活性化又は活性解除のために使用されることができる。
【０１４０】
複製機能がＲＬＣに導入されると、Ｄｕｐｌｉｃａｔｉｏｎ＿Ｏｎ／Ｏｆｆの命令はＲＬＣ制御ＰＤＵにより送信され、複製機能がＭＡＣに導入されると、Ｄｕｐｌｉｃａｔｉｏｎ＿Ｏｎ／Ｏｆｆの命令はＭＡＣ ＣＥにより送信されることができる。Ｄｕｐｌｉｃａｔｉｏｎ Ｏｎ／Ｏｆｆの命令はＲＲＣメッセージにより送信される。
【０１４１】
本発明において、パケット複製機能の中断又は開始はＲＲＣ下位の階層(例えば、ＰＤＣＰ、ＭＡＣ又はＲＬＣ)のシグナリングにより制御され、これによりＲＲＣ再設定(ｒｅｃｏｎｆｉｇｕｒａｔｉｏｎ)に比べてより迅速かつ少ないシグナリングオーバーヘッドでパケット複製機能を開始又は中断することができる。
【０１４２】
図１３は、本発明を実行する送信装置１００及び受信装置２００の構成要素を示すブロック図である。
【０１４３】
送信装置１００及び受信装置２００は、情報及び／又はデータ、信号、メッセージなどを搬送する無線信号を送信又は受信できる無線周波数（ｒａｄｉｏ ｆｒｅｑｕｅｎｃｙ、ＲＦ）ユニット１３，２３と、無線通信システムにおける通信と関連した各種情報を記憶するメモリ１２，２２と、上記ＲＦユニット１３，２３及びメモリ１２，２２などの構成要素と動作的に連結され、上記構成要素を制御して該当装置が前述した本発明の実施例の少なくとも１つを行うようにメモリ１２，２２及び／又はＲＦユニット１３，２３を制御するように構成された（ｃｏｎｆｉｇｕｒｅｄ）プロセッサ１１，２１とをそれぞれ備える。
【０１４４】
メモリ１２，２２は、プロセッサ１１，２１の処理及び制御のためのプログラムを格納することができ、入／出力される情報を臨時記憶することができる。メモリ１２，２２をバッファーとして活用することができる。
【０１４５】
プロセッサ１１，２１は、通常、送信装置又は受信装置内の各種モジュールの全般的な動作を制御する。特に、プロセッサ１１，２１は、本発明を実行するための各種の制御機能を実行することができる。プロセッサ１１，２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）、ファームウェア（ｆｉｒｍｗａｒｅ）、ソフトウェア、又はそれらの結合によって具現することができる。ハードウェアを用いて本発明を具現する場合には、本発明を実行するように構成されたＡＳＩＣｓ（ａｐｐｌｉｃａｔｉｏｎ ｓｐｅｃｉｆｉｃ ｉｎｔｅｇｒａｔｅｄ ｃｉｒｃｕｉｔｓ）、ＤＳＰｓ（ｄｉｇｉｔａｌ ｓｉｇｎａｌ ｐｒｏｃｅｓｓｏｒｓ）、ＤＳＰＤｓ（ｄｉｇｉｔａｌ ｓｉｇｎａｌ ｐｒｏｃｅｓｓｉｎｇ ｄｅｖｉｃｅｓ）、ＰＬＤｓ（ｐｒｏｇｒａｍｍａｂｌｅ ｌｏｇｉｃ ｄｅｖｉｃｅｓ）、ＦＰＧＡｓ（ｆｉｅｌｄ ｐｒｏｇｒａｍｍａｂｌｅ ｇａｔｅ ａｒｒａｙｓ）などをプロセッサ１１，２１に具備することができる。一方、ファームウェアやソフトウェアを用いて本発明を具現する場合には、本発明の機能又は動作を実行するモジュール、手順又は関数などを含むようにファームウェアやソフトウェアを構成することができ、本発明を実行するように構成されたファームウェア又はソフトウェアは、プロセッサ１１，２１内に設けられてもよく、メモリ１２，２２に記憶されてプロセッサ１１，２１によって駆動されてもよい。
【０１４６】
送信装置１００のプロセッサ１１は、プロセッサ１１又はプロセッサ１１と接続されたスケジューラからスケジュールされて外部に送信される信号及び／又はデータに対して所定のコーディング（ｃｏｄｉｎｇ）及び変調（ｍｏｄｕｌａｔｉｏｎ）を行った後にＲＦユニット１３に送信する。例えば、プロセッサ１１は、送信しようとするデータ列を逆多重化及びチャネルコーディング、スクランブリング、変調過程などを経てK個のレイヤに変換する。コーディングされたデータ列はコードワードとも呼ばれ、ＭＡＣ層の提供するデータブロックである輸送ブロックと等価である。１つの輸送ブロック（ｔｒａｎｓｐｏｒｔ ｂｌｏｃｋ、ＴＢ）は１つのコードワードにコーディングされ、各コードワードは、１つ以上のレイヤの形態で受信装置に送信される。周波数アップコンバートのためにＲＦユニット１３はオシレーター（ｏｓｃｉｌｌａｔｏｒ）を備えることができる。ＲＦユニット１３は、Ｎｔ個（Ｎｔは１以上の正の整数）の送信アンテナを有することができる。
【０１４７】
受信装置２００の信号処理過程は、送信装置１００の信号処理過程の逆に構成される。プロセッサ２１の制御下に、受信装置２００のＲＦユニット２３は送信装置１００によって送信された無線信号を受信する。ＲＦユニット２３はＮｒ個の受信アンテナを有することができ、ＲＦユニット２３は、受信アンテナで受信した信号のそれぞれを周波数ダウンコンバート（ｆｒｅｑｕｅｎｃｙ  ｄｏｗｎ−ｃｏｎｖｅｒｔ）して基底帯域信号に復元する。ＲＦユニット２３は、周波数ダウンコンバートのためにオシレーターを備えることができる。プロセッサ２１は、受信アンテナで受信した無線信号に対する復号（ｄｅｃｏｄｉｎｇ）及び復調（ｄｅｍｏｄｕｌａｔｉｏｎ）を行い、送信装置１００が本来送信しようとしたデータを復元することができる。
【０１４８】
ＲＦユニット１３，２３は、１つ以上のアンテナを具備する。アンテナは、プロセッサ１１，２１の制御下に、本発明の一実施例によって、ＲＦユニット１３，２３によって処理された信号を外部に送信したり、外部から無線信号を受信してＲＦユニット１３，２３に伝達する機能を果たす。アンテナは、アンテナポートとも呼ばれる。各アンテナは、１つの物理アンテナに該当してもよく、１つよりも多い物理アンテナ要素（ｅｌｅｍｅｎｔ）の組合せによって構成されてもよい。各アンテナから送信された信号は、受信装置２００でそれ以上分解することができない。該当アンテナに対応して送信された参照信号（ｒｅｆｅｒｅｎｃｅ ｓｉｇｎａｌ、ＲＳ）は、受信装置２００の観点で見たアンテナを定義し、チャネルが１つの物理アンテナからの単一（ｓｉｎｇｌｅ）無線チャネルか或いは上記アンテナを含む複数の物理アンテナ要素（ｅｌｅｍｅｎｔ）からの合成（ｃｏｍｐｏｓｉｔｅ）チャネルかに関係なく、上記受信装置２００にとって上記アンテナに対するチャネル推定を可能にする。即ち、アンテナは、上記アンテナ上のシンボルを伝達するチャネルが、上記同一アンテナ上の他のシンボルが伝達される上記チャネルから導出されうるように定義される。複数のアンテナを用いてデータを送受信する多重入出力（Ｍｕｌｔｉ−Ｉｎｐｕｔ Ｍｕｌｔｉ−Ｏｕｔｐｕｔ、ＭＩＭＯ）機能を支援するＲＦユニットの場合は、２個以上のアンテナと接続することができる。
【０１４９】
本発明の実施例において、ＵＥは、上りリンクでは送信装置１００として動作し、下りリンクでは受信装置２００として動作する。本発明の実施例において、ｅＮＢは、上りリンクでは受信装置２００として動作し、下りリンクでは送信装置１００として動作する。以下、ＵＥに具備されたプロセッサ、ＲＦユニット及びメモリを、ＵＥプロセッサ、ＵＥ ＲＦユニット及びＵＥメモリとそれぞれ称し、ｅＮＢに具備されたプロセッサ、ＲＦユニット及びメモリを、ｅＮＢプロセッサ、ｅＮＢ ＲＦユニット及びｅＮＢメモリとそれぞれ称する。
【０１５０】
送信装置のプロセッサは、送信装置のＲＦユニットが無線ベアラ(ｒａｄｉｏ ｂｅａｒｅｒ、ＲＢ)に対するＲＢ設定情報を受信するように制御する。ＲＢ設定情報は、ＰＤＣＰエンティティーと、ＰＤＣＰエンティティーに連関する多数の下位階層エンティティー(例えば、ＲＬＣエンティティー)に対する設定情報とを含む。
【０１５１】
本発明の一例において、ＲＢに対するＰＤＣＰエンティティーのパケット複製機能の活性化命令が受信されると、プロセッサは、ＰＤＣＰエンティティーにおいて多数の下位階層エンティティーの各々にＰＤＣＰ ＰＤＵを提出する。プロセッサは、多数の下位階層エンティティーの各々のＰＤＣＰ ＰＤＵを受信装置に送信するようにＲＦユニットを制御する。パケット複製機能の活性解除命令が受信されると、プロセッサは、ＰＤＣＰエンティティーにおいて多数の下位階層エンティティーのうち、１つにＰＤＣＰ ＰＤＵを提出する。
【０１５２】
プロセッサは多数の下位階層エンティティーのうちの１つのＰＤＣＰ ＰＤＵを受信装置に送信するようにＲＦユニットを制御する。本発明の他の例において、プロセッサはどの下位階層エンティティーにＰＤＣＰ ＰＤＵを提出するかを指示する命令を受信するようにＲＦユニットを制御する。プロセッサはＰＤＣＰエンティティーにおいて命令が指示する各々の下位階層エンティティーにＰＤＣＰ ＰＤＵを提出する。プロセッサはＰＤＣＰ ＰＤＵを提出した下位階層エンティティーからＰＤＣＰ ＰＤＵを送信するようにＲＦユニットを制御する。
【０１５３】
送信装置はユーザ機器又は基地局である。活性化又は活性解除命令は受信装置で受信される。受信装置は基地局又は他のユーザ機器である。多数の下位階層エンティティーの各々は無線リンク制御(ｒａｄｉｏ ｌｉｎｋ ｃｏｎｔｒｏｌ、ＲＬＣ)エンティティー又はＬＴＥ−ＷＬＡＮ集成適応プロトコル(ＬＴＥ−ＷＬＡＮ ａｇｇｒｅｇａｔｅｄ ａｄａｐｔａｔｉｏｎ ｐｒｏｔｏｃｏｌ、ＬＷＡＡＰ)エンティティーである。活性化又は活性解除命令は媒体接続制御(ｍｅｄｉｕｍ ａｃｃｅｓｓ ｃｏｎｔｒｏｌ、ＭＡＣ)制御要素(ｃｏｎｔｒｏｌ ｅｌｅｍｅｎｔ、ＣＥ)を用いて受信される。
【０１５４】
ＲＢ設定情報はＰＤＣＰエンティティーがどの下位階層エンティティーにＰＤＣＰ ＰＤＵを送信するかを指示する情報を含む。この場合、プロセッサはＰＤＣＰエンティティーで情報が指示した下位階層エンティティーにのみＰＤＣＰ ＰＤＵを提出する。
【０１５５】
活性化命令はＰＤＣＰエンティティーがどの下位階層エンティティーにＰＤＣＰ ＰＤＵを送信するかを指示する情報を含む。この場合、プロセッサはＰＤＣＰエンティティーで活性化命令が指示した下位階層エンティティーにのみＰＤＣＰ ＰＤＵを提出する。
【０１５６】
活性解除命令はＰＤＣＰエンティティーがどの下位階層エンティティーにＰＤＣＰ ＰＤＵを送信するかを指示する情報を含む。この場合、プロセッサはＰＤＣＰエンティティーで活性解除命令が指示した下位階層エンティティーにのみＰＤＣＰ ＰＤＵを提出する。
【０１５７】
上述したように開示された本発明の好適な実施例に関する詳細な説明は、当業者が本発明を具現して実施できるように提供された。上記では本発明の好適な実施例を参照して説明したが、当該技術の分野における熟練した当業者にとっては、添付の特許請求の範囲に記載された本発明を様々に修正及び変更させることができるということは明らかである。従って、本発明は、ここに開示された実施の形態に制限しようとするものではなく、ここに開示された原理及び新規な特徴と一致する最も広い範囲を与えようとするものである。
【産業上の利用可能性】
【０１５８】
本発明の実施例は、無線通信システムにおいて、基地局又はユーザ機器、その他の装備に用いることができる。
【図１】
0006948388.tif 000005
【図２】
0006948388.tif 000006
【図３】
0006948388.tif 000007
【図４】
0006948388.tif 000008
【図５】
0006948388.tif 000009
【図６】
0006948388.tif 000010
【図７】
0006948388.tif 000011
【図８】
0006948388.tif 000012
【図９】
0006948388.tif 000013
【図１０】
0006948388.tif 000014
【図１１】
0006948388.tif 000015
【図１２】
0006948388.tif 000016
【図１３】
0006948388.tif 000017